(57)【要約】  基地局と端末が通信する通信システムにおいて、セル間干渉を低減する。基地局は、上りリンク信号の送信を制限するサブフレームを示す上りリンク送信制限サブフレーム設定情報を端末に通知する。端末は、前記上りリンク送信制限サブフレーム設定情報が前記基地局より設定され、上りリンクサブフレーム、かつ前記上りリンク送信制限サブフレーム設定情報で示されたサブフレームである上りリンク送信制限サブフレームにおいて、上りリンク信号の送信を制限する。端末は、前記上りリンク送信制限サブフレームにおいて、上りリンク信号の送信をしない動作、上りリンク信号の送信を延期する動作、特定の上りリンク物理チャネルを含まない前記上りリンク信号の送信をする動作、または特定の上りリンク物理チャネル以外を含まない前記上りリンク信号の送信をする動作を行う。
2014109302.tif 000002
【特許請求の範囲】
【請求項１】
基地局装置と通信する端末装置であって、
上りリンク物理チャネルまたは上りリンク参照信号を生成する生成部と、
前記上りリンク物理チャネルまたは前記上りリンク参照信号を送信する送信部と、
下りリンク制御情報と上りリンク／下りリンク設定情報を含むＲＲＣメッセージとを受信する受信部と、を有し、
前記送信部は、前記上りリンク／下りリンク設定情報により上りリンクサブフレームとして指示されるサブフレームのうち、前記下りリンク制御情報により上りリンクサブフレームとして指示されるサブフレームにおいて、前記上りリンク物理チャネルまたは前記上りリンク参照信号を送信する端末装置。
【請求項２】
前記送信部は、前記上りリンク／下りリンク設定情報により上りリンクサブフレームとして指示されるサブフレームのうち、前記下りリンク制御情報により上りリンクサブフレームとして指示されないサブフレームにおいて、前記上りリンク物理チャネルまたは前記上りリンク参照信号を送信しない請求項１に記載の端末装置。
【請求項３】
前記上りリンク物理チャネルは、ＰＵＳＣＨである請求項１に記載の端末装置。
【請求項４】
前記上りリンク物理チャネルは、ＰＵＣＣＨである請求項１に記載の端末装置。
【請求項５】
前記上りリンク参照信号は、ＳＲＳである請求項１に記載の端末装置。
【請求項６】
端末装置と通信する基地局装置であって、
前記端末装置から送信された上りリンク物理チャネルまたは上りリンク参照信号を受信する受信部と、
下りリンク制御情報と上りリンク／下りリンク設定情報を含むＲＲＣメッセージとを前記端末装置に送信する送信部と、を有し、
前記受信部は、前記上りリンク／下りリンク設定情報により上りリンクサブフレームとして指示されるサブフレームのうち、前記下りリンク制御情報により上りリンクサブフレームとして指示されるサブフレームにおいて、前記上りリンク物理チャネルまたは前記上りリンク参照信号を受信する基地局装置。
【請求項７】
前記受信部は、前記上りリンク／下りリンク設定情報により上りリンクサブフレームとして指示されるサブフレームのうち、前記下りリンク制御情報により上りリンクサブフレームとして指示されないサブフレームにおいて、前記上りリンク物理チャネルまたは前記上りリンク参照信号を受信しない請求項６に記載の基地局装置。
【請求項８】
前記下りリンク制御情報によって指示されるサブフレームを示す情報を、バックホールを介して前記基地局装置とは異なる基地局装置に通知する請求項６に記載の基地局装置。
【請求項９】
前記上りリンク物理チャネルは、ＰＵＳＣＨである請求項６に記載の基地局装置。
【請求項１０】
前記上りリンク物理チャネルは、ＰＵＣＣＨである請求項６に記載の基地局装置。
【請求項１１】
前記上りリンク参照信号は、ＳＲＳである請求項６に記載の基地局装置。
【発明の詳細な説明】
【技術分野】
【０００１】
本発明は、端末装置および基地局装置に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉｒｅｌｅｓｓ  ＬＡＮ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような通信システムでは、基地局（基地局装置、セル、送信局、送信装置、ｅＮｏｄｅＢ）および端末（端末装置、移動端末、受信局、移動局、受信装置、ＵＥ（Ｕｓｅｒ  Ｅｑｕｉｐｍｅｎｔ））は、複数の送受信アンテナをそれぞれ備え、ＭＩＭＯ（Ｍｕｌｔｉ  Ｉｎｐｕｔ  Ｍｕｌｔｉ  Ｏｕｔｐｕｔ）技術を用いることにより、データ信号を空間多重し、高速なデータ通信を実現する。【０００３】
ＬＴＥでは、下りリンクの通信方式として、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が用いられ、上りリンクの通信方式として、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が用いられる。【０００４】
このような通信システムにおいて、基地局は、端末に対して下りリンクデータ（下りリンク共用チャネル（ＤＬ−ＳＣＨ；Ｄｏｗｎｌｉｎｋ  Ｓｈａｒｅｄ  Ｃｈａｎｎｅｌ）に対するトランスポートブロック）を送信する。下りリンクデータは、下りリンクデータチャネル（ＰＤＳＣＨ；Ｐｈｙｓｉｃａｌ  Ｄｏｗｎｌｉｎｋ  Ｓｈａｒｅｄ  Ｃｈａｎｎｅｌ）にマップされる。【０００５】
また、このような通信システムにおいて、端末は、基地局に対して上りリンクデータ（上りリンク共用チャネル（ＵＬ−ＳＣＨ；Ｕｐｌｉｎｋ  Ｓｈａｒｅｄ  Ｃｈａｎｎｅｌ）に対するトランスポートブロック）を送信する。上りリンクデータは、上りリンクデータチャネル（ＰＵＳＣＨ；Ｐｈｙｓｉｃａｌ  Ｕｐｌｉｎｋ  Ｓｈａｒｅｄ  Ｃｈａｎｎｅｌ）にマップされる。【０００６】
ここで、３ＧＰＰでは、カバレッジの広い基地局と、その基地局よりもカバレッジの狭いＲＲＨ（Ｒｅｍｏｔｅ  Ｒａｄｉｏ  Ｈｅａｄ）などによるヘテロジーニアスネットワーク配置（ＨｅｔＮｅｔ；Ｈｅｔｅｒｏｇｅｎｅｏｕｓ  Ｎｅｔｗｏｒｋ  ｄｅｐｌｏｙｍｅｎｔ）を用いた通信システムが検討されている。図３７は、従来のヘテロジーニアスネットワーク配置を用いた通信システムの概要図である。図３７に示すように、例えば、ヘテロジーニアスネットワークは、基地局３７０１、ＲＲＨ３７１１によって構成される。【０００７】
図３７において、基地局３７０１はセル３７００を構築し、ＲＲＨ３７１１はセル３７１０を構築している。また、基地局３７０１は、ＲＲＨ３７１１と回線３７０３を通じて接続している。これにより、基地局３７０１は、ＲＲＨ３７１１と、データ信号や制御信号（制御情報）を送受信することができる。ここで、例えば、バックホール回線３７０３には、光ファイバ等の有線回線やリレー技術を用いた無線回線が利用される。この際、基地局３７０１、ＲＲＨ３７１１の一部または全てが、同一のリソースを用いることで、セル３７００のエリア内の総合的な周波数利用効率（伝送容量）を向上することができる。【０００８】
また、端末３７１２は、セル３７１０の中に位置している場合、ＲＲＨ３７１１とシングルセル通信を行うことができる。また、端末３７１２がセル３７１０の端付近（セルエッジ）に位置する場合、ＲＲＨ３７１１または端末３７１２は、基地局３７０１からの同一のリソースを用いたチャネルによる干渉の対策が必要になる。ここで、基地局３７０１とＲＲＨ３７１１とのマルチセル通信（協調通信）として、隣接セル間で互いに協調する基地局間協調通信を行うことによって、セルエッジ領域の端末３７１２に対する干渉を軽減または抑圧する方法が検討されている。例えば、基地局間協調通信による干渉の軽減または抑圧する方式として、ＩＣＩＣ（Ｉｎｔｅｒ−Ｃｅｌｌ  Ｉｎｔｅｒｆｅｒｅｎｃｅ  Ｃｏｏｒｄｉｎａｔｉｏｎ）やＣｏＭＰ（Ｃｏｏｐｅｒａｔｉｖｅ  Ｍｕｌｔｉｐｏｉｎｔ）伝送方式などが検討されている。【０００９】
ところで、ＬＴＥは、ＦＤＤ（Ｆｒｅｑｕｅｎｃｙ  Ｄｉｖｉｓｉｏｎ  Ｄｕｐｌｅｘ）方式とＴＤＤ（Ｔｉｍｅ  Ｄｉｖｉｓｉｏｎ  Ｄｕｐｌｅｘ）方式の両方に対応している。ＴＤＤ方式を採用したＬＴＥをＴＤ−ＬＴＥまたはＬＴＥ  ＴＤＤとも称される。ＦＤＤ方式は、上りリンクの通信で用いられる帯域と下りリンクの通信で用いられる帯域で異なる周波数を用いて多重する技術である。また、ＴＤＤ方式は、上りリンク信号と下りリンク信号を時分割多重する技術である。ＴＤＤ方式は、単一の周波数帯域において全二重通信を可能にする技術である。【００１０】
３ＧＰＰでは、上りリンク通信のトラフィックと下りリンク通信のトラフィックに応じて、上りリンク通信のリソースと下りリンク通信のリソースの比率を動的に変更するトラフィックアダプテーション技術をＴＤ−ＬＴＥに適用することが検討されている。トラフィック（データ通信）量は、常に一定でなく、利用者の要求によって変化する。また、上りリンク通信と下りリンク通信のトラフィックは、同割合だけではなく、要求に応じて下りリンク通信のトラフィックが上りリンク通信のトラフィックよりも増える状況や、その逆の状況も発生する。トラフィックに対応して無線リソースを適宜変化させることで、通信システムは、大きなパケットスループットの改善を得ることができる。これは、トラフィックアダプテーション技術と称される（非特許文献１）。
【先行技術文献】
【非特許文献】
【００１１】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｆｕｒｔｈｅｒ  ｅｎｈａｎｃｅｍｅｎｔ  ｔｏ  ＬＴＥ  Ｔｉｍｅ  Ｄｉｖｉｓｉｏｎ  Ｄｕｐｌｅｘｘ  （ＴＤＤ）  ｆｏｒ  Ｄｏｗｎｌｉｎｋ−Ｕｐｌｉｎｋ  （ＤＬ−ＵＬ）  ｉｎｔｅｒｆｅｒｅｎｃｅ  ｍａｎａｇｅｍｅｎｔ  ａｎｄ  ｔｒａｆｆｉｃ  ａｄａｐｔａｔｉｏｎ  （Ｒｅｌｅａｓｅ  １１）、２０１２年６月、３ＧＰＰ  ＴＲ  ３６．８２８  Ｖ１１．０．０  （２０１２−０６）。
【発明の概要】
【発明が解決しようとする課題】
【００１２】
しかしながら、ＦＤＤ方式またはＴＤＤ方式において、セルの通信が隣接するセルの通信に対して悪影響を及ぼすセル間干渉が問題となる。その問題を解決するためには、セル間干渉を抑圧させる干渉緩和技術（干渉回避技術；ｉｎｔｅｒｆｅｒｅｎｃｅ  ｍｉｔｉｇａｔｉｏｎ、干渉除去技術；ｉｎｔｅｒｆｅｒｅｎｃｅ  ｃａｎｃｅｌｌａｔｉｏｎ、干渉抑圧技術）の導入が必要となる。【００１３】
本発明は、上記問題を鑑みてなされたものであり、その目的は、基地局と端末が通信する通信システムにおいて、セル間干渉を抑圧することができる端末装置および基地局装置を提供することにある。
【課題を解決するための手段】
【００１４】
（１）この発明は上述した課題を解決するためになされたもので、本発明の一態様による端末は、上りリンク信号の送信を制限するサブフレームを示す制限情報が基地局より設定され、上りリンクサブフレームであり、かつ制限情報で示されたサブフレームであるサブフレームにおいて、上りリンク信号の送信を制限することを特徴とする。【００１５】
（２）本発明の一態様による端末は、上記の端末であって、上り下り設定情報が基地局より設定され、上りリンクサブフレームは、上り下り設定情報により設定されることを特徴とする。【００１６】
（３）本発明の一態様による端末は、上記の端末であって、上り下り設定情報は、基地局より報知されることを特徴とする。【００１７】
（４）本発明の一態様による端末は、上記の端末であって、上り下り設定情報は、基地局より個別に通知されることを特徴とする。【００１８】
（５）本発明の一態様による端末は、上記の端末であって、上りリンクサブフレームであり、かつ制限情報で示されたサブフレームであるサブフレームにおいて、上りリンク信号の送信をしないことを特徴とする。【００１９】
（６）本発明の一態様による端末は、上記の端末であって、上りリンクサブフレームであり、かつ制限情報で示されたサブフレームであるサブフレームにおいて、上りリンク信号の送信を延期することを特徴とする。【００２０】
（７）本発明の一態様による端末は、上記の端末であって、上りリンクサブフレームであり、かつ制限情報で示されたサブフレームであるサブフレームにおいて、特定の上りリンク物理チャネルを含まない上りリンク信号の送信をすることを特徴とする。【００２１】
（８）本発明の一態様による端末は、上記の端末であって、上りリンクサブフレームであり、かつ制限情報で示されたサブフレームであるサブフレームにおいて、特定の上りリンク物理チャネル以外を含まない上りリンク信号の送信をすることを特徴とする。【００２２】
（９）本発明の一態様による基地局は、上りリンク信号の送信を制限するサブフレームを示す制限情報を端末に通知し、上りリンクサブフレームであり、かつ制限情報で示されたサブフレームであるサブフレームにおいて、端末に上りリンク信号の送信を制限させることを特徴とする。【００２３】
（１０）本発明の一態様による基地局は、上記の基地局であって、上り下り設定情報を端末に設定し、上りリンクサブフレームは、上り下り設定情報により設定されることを特徴とする。【００２４】
（１１）本発明の一態様による通信システムは、基地局と端末が通信する通信システムである。基地局は、上りリンク信号の送信を制限するサブフレームを示す制限情報を端末に通知することを特徴とする。端末は、上りリンク信号の送信を制限するサブフレームを示す制限情報が基地局より設定され、上りリンクサブフレームであり、かつ制限情報で示されたサブフレームであるサブフレームにおいて、上りリンク信号の送信を制限することを特徴とする。【００２５】
（１２）本発明の一態様による通信方法は、基地局と通信する端末の通信方法である。端末は、上りリンク信号の送信を制限するサブフレームを示す制限情報が基地局より設定され、上りリンクサブフレームであり、かつ制限情報で示されたサブフレームであるサブフレームにおいて、上りリンク信号の送信を制限することを特徴とする。【００２６】
（１３）本発明の一態様による通信方法は、端末と通信する基地局の通信方法である。基地局は、上りリンク信号の送信を制限するサブフレームを示す制限情報を端末に通知し、上りリンクサブフレームであり、かつ制限情報で示されたサブフレームであるサブフレームにおいて、端末に上りリンク信号の送信を制限させることを特徴とする。【００２７】
（１４）本発明の一態様による集積回路は、基地局と通信する端末で実現される集積回路である。端末は、上りリンク信号の送信を制限するサブフレームを示す制限情報が基地局より設定され、上りリンクサブフレームであり、かつ制限情報で示されたサブフレームであるサブフレームにおいて、上りリンク信号の送信を制限する機能を実現することを特徴とする。【００２８】
（１５）本発明の一態様による集積回路は、端末と通信する基地局で実現される集積回路である。基地局は、上りリンク信号の送信を制限するサブフレームを示す制限情報を端末に通知し、上りリンクサブフレームであり、かつ制限情報で示されたサブフレームであるサブフレームにおいて、端末に上りリンク信号の送信を制限させる機能を実現することを特徴とする。
【発明の効果】
【００２９】
この発明によれば、基地局と端末が通信する通信システムにおいて、セル間干渉を抑圧することができる。
【図面の簡単な説明】
【００３０】
【図１】本発明の第１の実施形態に係る通信システムの概要を示す図である。
【図２】本発明の第１の実施形態に係るＴＤＤ方式の無線フレームの概要を示す図である。
【図３】本発明の第１の実施形態に係る上り下り設定情報に対応する無線フレーム構成の表である。
【図４】本発明の第１の実施形態に係る端末の上りリンク通信時の構成を示す概略ブロック図である。
【図５】本発明の第１の実施形態に係る基地局の上りリンク通信時の構成を示す概略ブロック図である。
【図６】本発明の第１の実施形態に係る基地局の下りリンク通信時の構成を示す概略ブロック図である。
【図７】本発明の第１の実施形態に係る端末の下りリンク通信時の構成を示す概略ブロック図である。
【図８】本発明の第１の実施形態に係るフレキシブルサブフレームを含んだ無線フレーム構成の一例を示す図である。
【図９】本発明の第１の実施形態に係る無線フレーム構成とビットマップの対応の例１を示す図である。
【図１０】本発明の第１の実施形態に係る無線フレーム構成とビットマップの対応の例２を示す図である。
【図１１】本発明の第１の実施形態に係る上りリンク送信制限サブフレームに上りリンク信号のリソースが割り当てられた場合の第１の処理方法の概要を示す図である。
【図１２】本発明の第１の実施形態に係る上りリンク送信制限サブフレームに上りリンク信号のリソースが割り当てられた場合の第２の処理方法の概要を示す図である。
【図１３】本発明の第１の実施形態に係る上りリンク送信制限サブフレームに上りリンク信号のリソースが割り当てられた場合の第３の処理方法の概要を示す図である。
【図１４】本発明の第１の実施形態に係る上りリンク送信制限サブフレームに上りリンク信号のリソースが割り当てられた場合の第４の処理方法の概要を示す図である。
【図１５】本発明の第１の実施形態に係る第４の処理方法における下りリンク信号に干渉を与えない上りリンク信号の構成の一例を示す図である。
【図１６】本発明の第１の実施形態に係る端末の上りリンク信号処理方法を決定するフローチャートを示す図である。
【図１７】本発明の第１の実施形態に係る上りリンク送信制限サブフレームの設定状態の遷移に対する有効／無効情報の組み合わせ表である。
【図１８】本発明の第２の実施形態に係る１つの上りリンク送信制限サブフレームが周期的に設定される場合における無線フレーム構成の一例を示す図である。
【図１９】本発明の第２の実施形態に係る２つの上りリンク送信制限サブフレームが周期的に設定される場合における無線フレーム構成の一例を示す図である。
【図２０】本発明の第２の実施形態に係る上りリンク送信制限サブフレーム設定情報に対応する上りリンク送信制限サブフレーム配置情報および上りリンク送信制限サブフレーム周期情報の関係を示す表である。
【図２１】本発明の第３の実施形態に係るフレキシブルサブフレームを含んだ無線フレーム構成に対応する上りリンク送信制限サブフレームの設定の一例を示す表である。
【図２２】本発明の第３の実施形態に係る自基地局の上り下り設定情報を０、隣接基地局の上り下り設定情報を１と設定した場合における上りリンク送信制限サブフレーム候補の一例を示す表である。
【図２３】本発明の第３の実施形態に係る自基地局の上り下り設定情報が０の場合における隣接基地局の上り下り設定情報に対応する上りリンク送信制限サブフレームの設定の一例を示す表である。
【図２４】本発明の第３の実施形態に係る自基地局の上り下り設定情報が１の場合における隣接基地局の上り下り設定情報に対応する上りリンク送信制限サブフレームの設定の一例を示す表である。
【図２５】本発明の第３の実施形態に係る自基地局の上り下り設定情報が２の場合における隣接基地局の上り下り設定情報に対応する上りリンク送信制限サブフレームの設定の一例を示す表である。
【図２６】本発明の第３の実施形態に係る自基地局の上り下り設定情報が３の場合における隣接基地局の上り下り設定情報に対応する上りリンク送信制限サブフレームの設定の一例を示す表である。
【図２７】本発明の第３の実施形態に係る自基地局の上り下り設定情報が４の場合における隣接基地局の上り下り設定情報に対応する上りリンク送信制限サブフレームの設定の一例を示す表である。
【図２８】本発明の第３の実施形態に係る自基地局の上り下り設定情報が５の場合における隣接基地局の上り下り設定情報に対応する上りリンク送信制限サブフレームの設定の一例を示す表である。
【図２９】本発明の第３の実施形態に係る自基地局の上り下り設定情報が６の場合における隣接基地局の上り下り設定情報に対応する上りリンク送信制限サブフレームの設定の一例を示す表である。
【図３０】本発明の第３の実施形態に係る自基地局の上り下り設定情報が１、隣接基地局１の上り下り設定情報が２の場合における隣接基地局２の上り下り設定情報に対応する上りリンク送信制限サブフレームの設定の一例を示す表である。
【図３１】本発明の第４の実施形態に係る端末における上りリンク送信制限サブフレーム適用判定のフローチャートを示す図である。
【図３２】本発明の第４の実施形態に係る端末における２つの上りリンク送信制限サブフレーム設定情報を受信したときの上りリンク送信制限サブフレーム適用判定のフローチャートを示す図である。
【図３３】本発明の第５の実施形態に係る上りリンク信号の送信に対する制限の要求の通知の一例を示す図である。
【図３４】本発明の第５の実施形態に係る上りリンク信号送信制限要求を含む上りリンクグラントを受信する下りリンクサブフレームと、前記下りリンクサブフレームと対応する上りリンクサブフレームの関係表である。
【図３５】本発明の第６の実施形態に係る隣接する両セルが上りリンク通信を行う通信システムの概要を示す図である。
【図３６】本発明の第７の実施形態に係る端末−端末間通信が行われる通信システムの概要を示す図である。
【図３７】従来方式のヘテロジーニアスネットワーク配置を用いた通信システムの概要を示す図である。
【発明を実施するための形態】
【００３１】
本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、インタリーブ分割多重アクセス（ＩＤＭＡ）、およびその他のシステムの通信システムにおいて使用され得る。用語「システム」および「ネットワーク」は、しばしば同義的に使用され得る。第３世代パートナーシッププロジェクト（３ＧＰＰ）は、ＬＴＥ（Ｌｏｎｇ  Ｔｅｒｍ  Ｅｖｏｌｕｔｉｏｎ）およびＬＴＥ−Ａ（ＬＴＥ−Ａｄｖａｎｃｅｄ）と呼称される通信システムを規格化している。ＬＴＥは、ダウンリンク上でＯＦＤＭＡを、アップリンク上でＳＣ−ＦＤＭＡを採用するＥ−ＵＴＲＡを使用するＵＭＴＳである。ＬＴＥ−Ａは、ＬＴＥを改良したシステム、無線技術、規格である。以下で述べる技術は、ＬＴＥおよび／またはＬＴＥ−Ａで用いられる場合を説明するが、他の通信システムにも適用することができる。また、以下の説明では、ＬＴＥ規格で用いられる用語、ＬＴＥ−Ａ規格で用いられる用語、および３ＧＰＰで用いられる用語が、用いられる。
【００３２】
（第１の実施形態）
以下、本発明の第１の実施形態について説明する。本発明の第１の実施形態における通信システムは、基地局（送信装置、送信点、送信アンテナ群、送信アンテナポート群、コンポーネントキャリア、ｅＮｏｄｅＢ、ＲＲＨ（Ｒｅｍｏｔｅ  Ｒａｄｉｏ  Ｈｅａｄ）、分散アンテナ）および端末（端末装置、移動端末、受信点、受信端末、受信装置、受信アンテナ群、受信アンテナポート群、ＵＥ（Ｕｓｅｒ  Ｅｑｕｉｐｍｅｎｔ））を備える。また、基地局はセル（マクロセル、ピコセル、フェムトセル、スモールセル、カバレッジ、コンポーネントキャリア、プライマリセル、セカンダリセル）を含む。また、基地局間はバックホール回線（光ファイバ、Ｘ２インターフェース、リレー）で接続される。
【００３３】
図１は、本発明の実施形態に係る通信システムの概要図である。本発明の通信システムでは、基地局１０１はセル１００を構成し、該セル１００の内部に存在する端末１０２−Ａ、端末１０２−Ｂは基地局１０１と無線接続する。以下、端末１０２−Ａと端末１０２−Ｂを端末１０２と総称する。端末１０２は、基地局１０１とデータ通信を行うため、上りリンク信号を介して、制御情報、参照信号、および情報データを送信する。また本発明の通信システムでは、基地局１１１は、セル１１０を構成し、該セル１１０の内部に存在する端末１１２は基地局１１１と無線接続する。基地局１１１は、端末１１２とデータ通信を行うため、下りリンク信号を介して、制御情報、参照信号、および情報データを送信する。セル１００とセル１１０は、互いに隣接する。基地局１０１と基地局１１１間は、バックホール回線１０３で接続され、基地局間の情報の送受信はバックホール回線１０３を介して行われる。また本発明の通信システムでは、セル１１０の内部にＲＲＨ１２１が配置され、ＲＲＨ１２１はセル１１０よりも更に小さいセル１２０を構成する。セル１２０はセル１１０の内部に含まれ、ヘテロジーニアスネットワークを構成する。基地局１１１とＲＲＨ１２１間は、バックホール回線１１３で接続され、基地局−ＲＲＨ間の情報の送受信はバックホール回線１１３を介して行われる。
【００３４】
本発明の第１の実施形態に係る基地局および端末はコンポーネントキャリア（Ｃｏｍｐｏｎｅｎｔ  Ｃａｒｒｉｅｒ）を介して通信が行われる。コンポーネントキャリアは、周波数方向に連続した複数のリソースブロック（ＲＢ）で構成される。リソースブロックは、所定の物理チャネル（下りリンクデータチャネルまたは上りリンクデータチャネルなど）のリソースエレメントへのマッピングを表現するために用いられる。リソースブロック（ＲＢ）は、仮想リソースブロック（ＶＲＢ）と物理リソースブロック（ＰＲＢ）が定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは、（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号（リソースブロック番号）が付けられる。コンポーネントキャリアに含まれるリソースブロックの数は、コンポーネントキャリアの帯域幅に対応して増減する。また、物理リソースブロックペア（ＲＢペア）は、同じリソースブロック番号であり、１つのサブフレームにおける２つの物理リソースブロックによって、定義される。
【００３５】
ＬＴＥでは、ＦＤＤ方式とＴＤＤ方式をサポートしており、ＦＤＤ方式はフレーム構成タイプ１（Ｆｒａｍｅ  ｓｔｒｕｃｔｕｒｅ  ｔｙｐｅ  １）、ＦＤＤ方式はフレーム構成タイプ２（Ｆｒａｍｅ  ｓｔｒｕｃｔｕｒｅ  ｔｙｐｅ  ２）とも称される。本実施形態では、ＴＤＤ方式を想定している。
【００３６】
図２は、本発明の第１の実施形態のＴＤＤ方式の無線フレーム（ｒａｄｉｏ  ｆｒａｍｅ）の構成を示す。無線フレームのそれぞれは、１０ｍｓ長である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。スロットのそれぞれは、０．５ｍｓ長である。また、それぞれのサブフレームにおける２つのリソースブロックは、リソースブロックペアとも呼称される。前記１０個のサブフレームは、順番に０から９のサブフレーム番号が割り当てられる。なお、以下では、特定のサブフレームを指定する場合、０から９のサブフレーム番号ｎと無線フレーム番号ｍで表す。もしくは、以下では、０から９のサブフレーム番号ｎと無線フレーム番号ｍを組み合わせて、１つのサブフレーム番号（１０×ｍ＋ｎ）で表現する。
【００３７】
ＬＴＥでは、上りリンクサブフレーム（ｕｐｌｉｎｋ  ｓｕｂｆｒａｍｅ）、下りリンクサブフレーム（ｄｏｗｎｌｉｎｋ  ｓｕｂｆｒａｍｅ）、スペシャルサブフレーム（ｓｐｅｃｉａｌ  ｓｕｂｆｒａｍｅ）の３種類のサブフレームが用いられる。
【００３８】
上りリンクサブフレームは、上りリンクの無線通信（上りリンク通信）を行うために用意されるサブフレームである。上りリンクサブフレームは、端末が上りリンク物理チャネルと上りリンク参照信号を送信するために用いられる。上りリンク物理チャネルは、上位レイヤーから出力された情報を送信するために使われる。上りリンク参照信号は、基地局にとって既知な信号が送信され、主に伝搬路の推定やチャネル状態の測定を行うために使われる。
【００３９】
上りリンク通信では、上りリンクデータチャネル（上りリンク共用チャネル、上りリンク共有チャネル、ＰＵＳＣＨ；Ｐｈｙｓｉｃａｌ  Ｕｐｌｉｎｋ  Ｓｈａｒｅｄ  Ｃｈａｎｎｅｌ）、上りリンク制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）、ランダムアクセスチャネル（ＰＲＡＣＨ；Ｐｈｙｓｉｃａｌ  Ｒａｎｄｏｍ  Ａｃｃｅｓｓ  Ｃｈａｎｎｅｌ）等の上りリンク物理チャネルが用いられる。
【００４０】
上りリンク通信では、上りリンク端末固有参照信号（Ｕｐｌｉｎｋ  ＤＭ−ＲＳ；Ｄｅｍｏｄｕｌａｔｉｏｎ−Ｒｅｆｅｒｅｎｃｅ  Ｓｉｇｎａｌ）、サウンディング参照信号（ＳＲＳ；Ｓｏｕｎｄｉｎｇ  Ｒｅｆｅｒｅｎｃｅ  Ｓｉｇｎａｌ）等の上りリンク参照信号が用いられる。
【００４１】
下りリンクサブフレームは、下りリンクの無線通信（下りリンク通信）を行うために用意されるサブフレームである。下りリンクサブフレームは、基地局が下りリンク物理チャネルと下りリンク参照信号を送信するために用いられる。下りリンク物理チャネルは、上位レイヤーから出力された情報を送信するために使われる。下りリンク参照信号は、端末にとって既知な信号が送信され、主に伝搬路の推定やチャネル状態の測定を行うために使われる。
【００４２】
下りリンク通信では、下りリンクデータチャネル（下りリンク共用チャネル、下りリンク共有チャネル、ＰＤＳＣＨ；Ｐｈｙｓｉｃａｌ  Ｄｏｗｎｌｉｎｋ  Ｓｈａｒｅｄ  Ｃｈａｎｎｅｌ）、下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）、拡張下りリンク制御チャネル（ｅＰＤＣＣＨ；ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）、制御フォーマット指示チャネル（ＰＣＦＩＣＨ；Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＨＡＲＱ指示チャネル（ＰＨＩＣＨ；Ｐｈｙｓｉｃａｌ  Ｈｙｂｒｉｄ  ａｕｔｏｍａｔｉｃ  ｒｅｐｅａｔ  Ｉｎｄｉｃａｔｏｒ  Ｃｈａｎｎｅｌ）、報知チャネル（ＰＢＣＨ；Ｐｈｙｓｉｃａｌ  Ｂｒｏａｄｃａｓｔ  Ｃｈａｎｎｅｌ）等の下りリンク物理チャネルが用いられる。
【００４３】
下りリンク通信では、セル固有参照信号（ＣＲＳ；Ｃｅｌｌ−Ｓｐｅｃｉｆｉｃ  Ｒｅｆｅｒｅｎｃｅ  Ｓｉｇｎａｌ）、下りリンク端末固有参照信号（Ｄｏｗｎｌｉｎｋ  ＤＭ−ＲＳ；Ｄｅｍｏｄｕｌａｔｉｏｎ−Ｒｅｆｅｒｅｎｃｅ  Ｓｉｇｎａｌ、ＵＥ−ｓｐｅｃｉｆｉｃ  ＲＳ）、拡張下りリンク制御チャネル復調参照信号、チャネル状態情報参照信号（ＣＳＩ−ＲＳ；Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）の下りリンク参照信号が用いられる。
【００４４】
セル固有参照信号は、アンテナポート０〜３の一部または全部に関連付けられる。下りリンク端末固有参照信号は、アンテナポート７〜１４の一部または全部に関連付けられる。拡張下りリンク制御チャネル復調参照信号は、アンテナポート１０７〜１１４の一部または全部に関連付けられる。チャネル状態情報参照信号は、アンテナポート１５〜２２の一部または全部に関連付けられる。下りリンク制御チャネルは、アンテナポート０〜３の一部または全部を用いて送信される。そのため、端末は、セル固有参照信号を用いて、下りリンク制御チャネルを復調または検出することができる。拡張下りリンク制御チャネルは、アンテナポート１０７〜１１４の一部または全部を用いて送信される。そのため、端末は、拡張下りリンク制御チャネル復調参照信号を用いて、拡張下りリンク制御チャネルを復調または検出することができる。下りリンクデータチャネルは、アンテナポート７〜１４の一部または全部を用いて送信される。そのため、端末は、下りリンク端末固有参照信号を用いて、下りリンクデータチャネルを復調することができる。
【００４５】
スペシャルサブフレームは、ＤｗＰＴＳ（Ｄｏｗｎｌｉｎｋ  Ｐｉｌｏｔ  Ｔｉｍｅ  Ｓｌｏｔ）、ＵｐＰＴＳ（Ｕｐｌｉｎｋ  Ｐｉｌｏｔ  Ｔｉｍｅ  Ｓｌｏｔ）、および、ＧＰ（Ｇｕａｒｄ  Ｐｅｒｉｏｄ）で構成される。ＤｗＰＴＳは、下りリンク通信を行うために用意される。ＤｗＰＴＳでは、ＨＡＲＱ指示チャネル、制御フォーマット指示チャネル、下りリンク制御チャネル、下りリンクデータチャネル等の送信のために用いられる。ＵｐＰＴＳは、上りリンク通信を行うために用意される。ＵｐＰＴＳでは、サウンディング参照信号、ランダムアクセスチャネルの送信のために用いられる。ＧＰは、下りリンク送信および上りリンク送信が行われない。ＧＰは、下りリンク信号と上りリンク信号で干渉させないために設けられる。ＤｗＰＴＳ、ＧＰ、およびＵｐＰＴＳの合計の長さは１ｍｓである。
【００４６】
以下では、ＴＤＤ方式における無線フレーム内の上りリンクサブフレーム、下りリンクサブフレーム、およびスペシャルサブフレームが配置される無線フレーム構成について説明する。
【００４７】
ＴＤＤ方式は、上りリンク通信と下りリンク通信のリソース割合（リソース割り当て、無線フレーム構成）を通信システムの環境毎に設定することが可能である。図３は、本発明の実施形態に係る上り下り設定情報に対応する無線フレーム構成の表である。Ｄは下りリンクサブフレームを示し、Ｕは上りリンクサブフレームを示し、Ｓはスペシャルサブフレームを示す。上り下り設定情報（上りリンク／下りリンク設定情報、ｕｐｌｉｎｋ−ｄｏｗｎｌｉｎｋ  ｃｏｎｆｉｇｕｒａｔｉｏｎ）によって上りリンクサブフレームと下りリンクサブフレームの数、およびサブフレーム配置は異なる。すなわち、ＴＤＤ方式において、上りリンクサブフレーム、下りリンクサブフレーム、およびスペシャルサブフレームは、上り下り設定情報により設定される。上り下り設定情報が０から２、または６の時は下りリンク通信と上りリンク通信の切り替え間隔が５ｍｓ、上り下り設定情報が３から５の時は下りリンク通信と上りリンク通信の切り替え間隔が１０ｍｓである。通信システムおよび基地局は上り下り設定情報を設定することで、通信システムで用いられる上りリンクのリソース割合と下りリンクのリソース割合が決定する。
【００４８】
以下では、上りリンク物理チャネルおよび上りリンク参照信号について説明する。
【００４９】
上りリンクデータチャネルは、上りリンク情報データ（上りリンク共用データ、ＵＬ−ＳＣＨ；Ｕｐｌｉｎｋ−Ｓｈａｒｅｄ  Ｃｈａｎｎｅｌ）を送信するために用いられる物理チャネルである。また、上りリンクデータチャネルは、上りリンク情報データと共に下りリンクデータチャネルに対応するＡＣＫ（ａｃｋｎｏｗｌｅｄｇｅｍｅｎｔ）／ＮＡＣＫ（ｎｅｇａｔｉｖｅ−ａｃｋｎｏｗｌｅｄｇｅｍｅｎｔ）および／または下りリンクのチャネル状態情報を送信するために用いられてもよい。また、上りリンクデータチャネルはＡＣＫ／ＮＡＣＫおよび／またはチャネル状態情報のみを送信するために用いられてもよい。
【００５０】
ＬＴＥでは、上りリンクデータチャネルおよび下りリンクデータチャネルの誤り訂正方法としてＨＡＲＱ（Ｈｙｂｒｉｄ  Ａｕｔｏｍａｔｉｃ  Ｒｅｐｅａｔ  ｒｅＱｕｅｓｔ）がサポートされる。ＨＡＲＱには同期型ＨＡＲＱ（ｓｙｎｃｈｒｏｎｏｕｓ  ＨＡＲＱ）と非同期型ＨＡＲＱ（ａｓｙｎｃｈｒｏｎｏｕｓ  ＨＡＲＱ）がある。同期型ＨＡＲＱは、再送信時においてＨＡＲＱ処理を行うＨＡＲＱプロセスと送信サブフレームとが関連付けられる。これにより、再送信データは送信サブフレームから一意に決定され、基地局または端末は、再送信データを示す情報を明示的に通知しなくてもよい。なお、前回送信から次回送信までの時間間隔は、ＨＡＲＱ  ＲＴＴ（Ｒｏｕｎｄ  Ｔｒｉｐ  Ｔｉｍｅ）と称される。一方で、非同期型ＨＡＲＱは、ＨＡＲＱプロセスと送信サブフレームが関連付ける必要はない。再送信の送信サブフレームは、基地局または端末で任意に設定することができるため、基地局と端末間のチャネル状態がよいサブフレームで送信することが可能である。上りリンクデータチャネルは、同期型ＨＡＲＱがサポートできる。
【００５１】
上りリンク制御チャネルは、上りリンク制御情報（ＵＣＩ；Ｕｐｌｉｎｋ  Ｃｏｎｔｒｏｌ  Ｉｎｆｏｒｍａｔｉｏｎ）を送信するために用いられる物理チャネルである。上りリンク制御情報には、下りリンクデータチャネルの復号の成否を示すＡＣＫ／ＮＡＣＫ、上りリンクデータチャネルのリソースの要求を示すスケジューリング要求（ＳＲ；Ｓｃｈｅｄｕｌｉｎｇ  Ｒｅｑｕｅｓｔ）、下りリンクのチャネル状態情報（ＣＳＩ；Ｃｈａｎｎｅｌ  Ｓｔａｔｅ  Ｉｎｆｏｒｍａｔｉｏｎ）を含む。
【００５２】
また、上りリンク制御チャネルに対して、複数のフォーマットが定義される。ここで、上りリンク制御チャネルのフォーマットは、ＰＵＣＣＨフォーマットとも呼称される。ＰＵＣＣＨの信号構成および信号に含まれるデータの種類は、ＰＵＣＣＨフォーマットによって個別に規定される。例えば、ＰＵＣＣＨ  ｆｏｒｍａｔ  １は、下りリンクデータチャネルの復号の成否を通知するために用いられる。例えば、ＰＵＣＣＨ  ｆｏｒｍａｔ  ２は、下りリンク通信のチャネル状態情報を通知するために用いられる。
【００５３】
ランダムアクセスチャネルは、ランダムアクセスプリアンブルを送信するために用いられる物理チャネルである。ランダムアクセスチャネルは、初期コネクション確立プロシージャ、ハンドオーバプロシージャ、コネクション再確立プロシージャ、上りリンク送信に対する同期（タイミング調整）、および上りリンクデータチャネルのリソースの要求のために用いられる。
【００５４】
上りリンク端末固有参照信号は、上りリンクデータチャネルまたは上りリンク制御チャネルの伝搬路補正を行うために送信される。上りリンク端末固有参照信号は、上りリンクデータチャネルに割り当てられたリソースに含まれて送信される。また、上りリンク端末固有参照信号は、上りリンク制御チャネルに割り当てられたリソースに含まれて送信される。
【００５５】
サウンディング参照信号は、上りリンクのチャネル状態の測定等の用途で送信される。端末装置は、定期的に第１のサウンディング参照信号を送信する。第１のサウンディング参照信号は周期的サウンディング参照信号（ｐｅｒｉｏｄｉｃ  ＳＲＳ）とも称される。さらに、端末装置は、サウンディング参照信号要求することを示す情報を受信した場合に、第２のサウンディング参照信号を１回送信する。第２のサウンディング参照信号は非周期的サウンディング参照信号（ａｐｅｒｉｏｄｉｃ  ＳＲＳ）とも称される。
【００５６】
以下では、下りリンク物理チャネル、および、下りリンク参照信号について説明する。
【００５７】
下りリンクデータチャネルは、下りリンク情報データ（下りリンク共用データ、ＤＬ−ＳＣＨ；Ｄｏｗｎｌｉｎｋ−Ｓｈａｒｅｄ  Ｃｈａｎｎｅｌ）を送信するために用いられる物理チャネルである。下りリンクデータチャネルは、複数の端末で共用される共用チャネル領域の中の下りリンクデータチャネル領域として定義されたリソースエレメントにマッピングされる。
【００５８】
下りリンク制御チャネルおよび拡張下りリンク制御チャネルは、下りリンク制御情報（ＤＣＩ；Ｄｏｗｎｌｉｎｋ  Ｃｏｎｔｒｏｌ  Ｉｎｆｏｒｍａｔｉｏｎ）を送信するために用いられる物理チャネルである。下りリンク制御情報は、下りリンクグラント（ｄｏｗｎｌｉｎｋ  ｇｒａｎｔ、下りリンクアサインメント；ｄｏｗｎｌｉｎｋ  ａｓｓｉｇｎｍｅｎｔ）、および上りリンクグラント（ｕｐｌｉｎｋ  ｇｒａｎｔ、上りリンクアサインメント；ｕｐｌｉｎｋ  ａｓｓｉｇｎｍｅｎｔ）を含む。下りリンクグラントは、単一のセル内の単一の下りリンクデータチャネルのスケジューリングに用いられる下りリンク制御情報である。上りリンクグラントは、単一のセル内の単一の上りリンクデータチャネルのスケジューリングに用いられる。尚、以下では、下りリンク制御チャネルは第１の下りリンク制御チャネル、拡張下りリンク制御チャネルは第２の下りリンク制御チャネルとも称する。
【００５９】
下りリンク制御チャネルは、下りリンク制御チャネル領域として定義されたリソースエレメントに割り当てられて送信される。また、拡張下りリンク制御チャネルは、拡張下りリンク制御チャネル領域として定義されたリソースエレメントに割り当てられて送信される。
【００６０】
また、下りリンク制御チャネルまたは拡張下りリンク制御チャネルで送信される下りリンク制御情報には、複数のフォーマットが定義される。ここで、下りリンク制御情報のフォーマットは、ＤＣＩフォーマットとも呼称される。すなわち、ＤＣＩフォーマットに、下りリンク制御情報のそれぞれに対するフィールドが定義される。
【００６１】
下りリンク制御チャネルまたは拡張下りリンク制御チャネルで通知される制御情報は、ＰＤＣＣＨシグナリングとも称される。
【００６２】
例えば、下りリンクに対するＤＣＩフォーマットとして、１つのセルにおける１つの下りリンクデータチャネル（１つの下りリンクデータチャネルのコードワード、１つの下りリンクトランスポートブロックの送信）のスケジューリング（リソース割り当て）に使用されるＤＣＩフォーマット１およびＤＣＩフォーマット１Ａが定義される。すなわち、ＤＣＩフォーマット１およびＤＣＩフォーマット１Ａは、１つの送信アンテナポートを使用した下りリンクデータチャネルでの送信に使用される。また、ＤＣＩフォーマット１およびＤＣＩフォーマット１Ａは、複数の送信アンテナポートを使用した送信ダイバーシチ（ＴｘＤ；Ｔｒａｎｓｍｉｓｓｉｏｎ  Ｄｉｖｅｒｓｉｔｙ）による下りリンクデータチャネルでの送信にも使用される。
【００６３】
また、下りリンクに対するＤＣＩフォーマットとしては、１つのセルにおける１つの下りリンクデータチャネル（２つまでの下りリンクデータチャネルのコードワード、２つまでの下りリンクトランスポートの送信）のスケジューリングに使用されるＤＣＩフォーマット２、ＤＣＩフォーマット２Ａ、ＤＣＩフォーマット２Ｂ、ＤＣＩフォーマット２ＣおよびＤＣＩフォーマット２Ｄが定義される。すなわち、ＤＣＩフォーマット２、ＤＣＩフォーマット２Ａ、ＤＣＩフォーマット２Ｂ、ＤＣＩフォーマット２ＣおよびＤＣＩフォーマット２Ｄは、複数の送信アンテナポートを使用したＭＩＭＯ  ＳＤＭ（Ｍｕｌｔｉｐｌｅ  Ｉｎｐｕｔ  Ｍｕｌｔｉｐｌｅ  Ｏｕｔｐｕｔ  Ｓｐａｔｉａｌ  Ｄｏｍａｉｎ  Ｍｕｌｔｉｐｌｅｘｉｎｇ）送信方式による下りリンクデータチャネルでの送信に使用される。
【００６４】
制御フォーマット指示チャネルは、下りリンク制御チャネルの送信のために予約される下りリンク制御チャネル領域を示す情報を送信するために用いられる物理チャネルである。具体的には、制御フォーマット指示チャネルは、下りリンク制御チャネル領域の情報を先頭ＯＦＤＭシンボル数として端末に通知するために用いられる。
【００６５】
ＨＡＲＱ指示チャネルは、端末から送信された所定の上りリンクデータチャネルに対するＡＣＫ／ＮＡＣＫの通知のために用いられる物理チャネルである。
【００６６】
報知チャネルは、端末で共通に用いられるマスター情報（ＭＩ；Ｍａｓｔｅｒ  Ｉｎｆｏｒｍａｔｉｏｎ）やシステム情報（ＳＩ；Ｓｙｓｔｅｍ  Ｉｎｆｏｒｍａｔｉｏｎ、報知情報）を報知するために用いられる物理チャネルである。なお、システム情報は、下りリンクデータチャネルに含まれて通知されてもよい。
【００６７】
セル固有参照信号は、下りリンクの無線環境の測定、下りリンク受信信号のシンボル同期、プレコーディング処理がされていない信号の復調、プレコーディング処理がされている信号の復調、所定の送信モードにおける下りリンクデータチャネルの復調、下りリンク制御チャネルの復調等の用途に用いることができる。セル固有参照信号は、基地局および前記基地局と通信する端末が共に既知の信号であれば、任意の信号（系列）を用いることができる。例えば、基地局に固有の番号（セルＩＤ）などの予め割り当てられているパラメータに基づいた乱数や疑似雑音系列を用いることができる。また、アンテナポート間で直交させる方法として、セル固有参照信号をマッピングするリソースエレメントをアンテナポート間で互いにヌル（ゼロ）とする方法、疑似雑音系列を用いた符号分割多重する方法、またはそれらを組み合わせた方法などを用いることができる。なお、セル固有参照信号は、全てのサブフレームに多重しなくてもよく、一部のサブフレームのみに多重してもよい。セル固有参照信号は、アンテナポート０〜３の一部または全部で送信される。
【００６８】
下りリンク端末固有参照信号は、下りリンクデータチャネルの復調を行うために用いることができる。下りリンク端末固有参照信号は、下りリンクデータチャネルに関連付けられる。下りリンク端末固有参照信号は、下りリンク端末固有参照信号を送信する基地局および前記基地局と通信する端末で互いに既知の信号を用いられる。ここで、前記基地局は下りリンクデータチャネルにプレコーディング処理を行う場合、前記端末が下りリンクデータチャネルを復調するに際し、下りリンク端末固有参照信号は、前記基地局と前記端末との間の下りリンクにおける伝送路状況およびプレコーディング重みの等化チャネルを推定することができる。すなわち、前記基地局は、前記端末に対して、プレコーディング重みを通知する必要が無く、プレコーディング処理された信号を復調することができる。
【００６９】
下りリンク端末固有参照信号の一部は、入力されたスクランブル符号の初期値に基づいて、基地局と端末で互いに既知の信号が生成される。ここで、下りリンク端末固有参照信号は、関連付けられる下りリンクデータチャネルに基づいて設定され、下りリンクデータチャネルに対応するアンテナポート（レイヤー）で送信される。なお、下りリンク端末固有参照信号は、アンテナポート間で直交および／または準直交することが好ましい。下りリンク端末固有参照信号は、アンテナポート７〜１４の一部または全部で送信される。下りリンク端末固有参照信号は、下りリンクデータチャネルを復調するための有効な参照であり、対応する下りリンクデータチャネルがマッピングされるリソースブロックペアまたはリソースブロックで送信される。
【００７０】
拡張下りリンク制御チャネル復調参照信号は、拡張下りリンク制御チャネルの復調を行うために用いることができる。拡張下りリンク制御チャネル復調参照信号は、拡張下りリンク制御チャネルに関連付けられる。拡張下りリンク制御チャネル復調参照信号は、拡張下りリンク制御チャネル復調参照信号を送信する基地局および前記基地局と通信する端末で互いに既知の信号を用いられる。ここで、前記基地局は拡張下りリンク制御チャネルにプレコーディング処理を行う場合、前記端末が拡張下りリンク制御チャネルを復調するに際し、拡張下りリンク制御チャネル復調参照信号は、前記基地局と前記端末との間の下りリンクにおける伝送路状況およびプレコーディング重みの等化チャネルを推定することができる。すなわち、前記基地局は、前記端末に対して、プレコーディング重みを通知する必要が無く、プレコーディング処理された信号を復調することができる。
【００７１】
拡張下りリンク制御チャネル復調参照信号の一部は、入力されたスクランブル符号の初期値に基づいて、基地局と端末で互いに既知の信号が生成される。ここで、拡張下りリンク制御チャネル復調参照信号は、関連付けられる拡張下りリンク制御チャネルに基づいて設定され、拡張下りリンク制御チャネルに対応するアンテナポート（レイヤー）で送信される。なお、拡張下りリンク制御チャネル復調参照信号は、アンテナポート間で直交および／または準直交することが好ましい。拡張下りリンク制御チャネル復調参照信号は、アンテナポート１０７〜１１４の一部または全部で送信される。拡張下りリンク制御チャネル復調参照信号は、拡張下りリンク制御チャネルを復調するための有効な参照であり、対応する下りリンクデータチャネルがマッピングされるＲＢペアまたはＲＢで送信される。
【００７２】
チャネル状態情報参照信号は、下りリンクの無線環境（チャネル状態）の測定、下りリンク受信信号のシンボル同期、プレコーディング処理がされていない信号の復調等の用途に用いることができる。チャネル状態情報参照信号は、基地局および前記基地局と通信する端末が共に既知の信号であれば、任意の信号（系列）を用いることができる。チャネル状態情報参照信号は、基地局から参照信号を送信する非ゼロ電力チャネル状態情報参照信号と、基地局から参照信号を送信しないゼロ電力チャネル状態情報参照信号がある。
【００７３】
３ＧＰＰでは、上述のコンポーネントキャリアの構成とは異なる新しいキャリア構成（ＮＣＴ；Ｎｅｗ  Ｃａｒｒｉｅｒ  Ｔｙｐｅ）が提案されている。新しいキャリア構成は、例えば、上述したセル固有参照信号やセル検出、フレーム同期などに用いられる同期信号（ＳＳ；Ｓｙｎｃｈｒｏｎｉｚａｔｉｏｎ  Ｓｉｇｎａｌ）が配置されないかもしれない。ＮＣＴは、端末がＮＣＴの検出、シンボル検波、周波数同期、および／または時間同期を行うことができる検知参照信号（ＤＲＳ；Ｄｅｔｅｃｔｉｏｎ  ＲＳ）またはｅＳＳ（ｅｎｈａｎｃｅｄ  ＳＳ）などが配置されてもよい。
【００７４】
図４は、本発明の実施形態に係る端末の上りリンク通信時の構成を示す概略ブロック図である。図４では、一例として基地局１０１と端末１０２との通信を説明するが、本実施形態に係る端末１０２の構成は、端末１１２、端末１２２、端末３５０２、端末３５１２、端末３６０２にも同様に備わっている。
【００７５】
図４において、端末１０２は、上位レイヤー４００、上りリンク送信部４１０、端末送信アンテナ部４２０、上りリンク信号処理方法決定部４３０を含んで構成される。なお、図示しないが、端末１０２は端末制御部も含んで構成され、端末制御部は端末１０２における様々な処理を制御することができる。
【００７６】
上位レイヤー４００は、通信に係るデータの様々な処理を行う。上位レイヤー４００は、端末情報データ処理部４０１、ＲＲＣ層処理部４０２、ＭＡＣ層処理部４０３、サブフレーム解釈部４０４、スケジューリング情報解釈部４０５を含んで構成される。
【００７７】
端末情報データ処理部４０１は、基地局に対する上りリンク情報データおよび／または上りリンク制御情報データを生成する。ここで、上りリンク情報データは、誤り訂正符号化処理を行う単位とすることができる。また、上りリンク情報データは、ＨＡＲＱ等の再送制御を行う単位とすることができる。また、端末１０２は、前記端末１０２と通信する基地局に複数の上りリンク情報データを送信することができる。
【００７８】
また、端末情報データ処理部４０１は、基地局から送信された下りリンク受信データを下りリンク情報データおよび／または下りリンク制御情報に変換する。ここで、下りリンク情報データは、誤り訂正符号化処理を行う単位とすることができる。また、下りリンク情報データは、ＨＡＲＱ等の再送制御を行う単位とすることができる。また、端末１０２は、前記端末１０２と通信する基地局からの複数の下りリンク情報データを受信することができる。
【００７９】
また上位レイヤー４００は、ＲＲＣ層処理部４０２を備える。基地局１０１と端末１０２は、上位レイヤーにおいて信号を送受信する。例えば、基地局１０１と端末１０２は、ＲＲＣ層（レイヤ３）において、無線リソース制御信号（ＲＲＣシグナリング；Ｒａｄｉｏ  Ｒｅｓｏｕｒｃｅ  Ｃｏｎｔｒｏｌ  ｓｉｇｎａｌ、ＲＲＣメッセージ；Ｒａｄｉｏ  Ｒｅｓｏｕｒｃｅ  Ｃｏｎｔｒｏｌ  ｍｅｓｓａｇｅ、ＲＲＣ情報；Ｒａｄｉｏ  Ｒｅｓｏｕｒｃｅ  Ｃｏｎｔｒｏｌ  ｉｎｆｏｒｍａｔｉｏｎとも呼称される）を送受信する。ここで、ＲＲＣ層において、基地局１０１によって、所定の端末に対して送信される専用の信号は、ｄｅｄｉｃａｔｅｄ  ｓｉｇｎａｌ（専用の信号）とも呼称される。すなわち、基地局１０１によって、ｄｅｄｉｃａｔｅｄ  ｓｉｇｎａｌを使用して通知される設定（情報）は、所定の端末に対して固有な（特有な、個別な）設定である。なお、複数の端末で共通に設定されるシステム情報は、ＲＲＣシグナリングでも通知することができる。
【００８０】
また上位レイヤー４００は、ＭＡＣ層処理部４０３を備える。基地局１０１と端末１０２は、ＭＡＣ（Ｍｅｄｉａｍ  Ａｃｃｅｓｓ  Ｃｏｎｔｒｏｌ）層（レイヤ２）において、ＭＡＣコントロールエレメントを送受信する。ここで、ＲＲＣシグナリングおよび／またはＭＡＣコントロールエレメントは、上位レイヤーの信号（Ｈｉｇｈｅｒ  ｌａｙｅｒ  ｓｉｇｎａｌｉｎｇ）とも呼称される。
【００８１】
また上位レイヤー４００は、サブフレーム解釈部４０４を備える。サブフレーム解釈部４０４は、基地局１０１から受信した上り下り設定情報から上りリンクサブフレーム、下りリンクサブフレーム、および／または、スペシャルサブフレームを含んだ無線フレーム構成を認識する。また、サブフレーム解釈部４０４は、基地局１０１から受信したスペシャルサブフレーム設定情報からＤｗＰＴＳ、ＵｐＰＴＳ、およびＧＰを認識する。サブフレーム解釈部４０４は、受信した上り下り設定情報およびスペシャルサブフレーム設定情報に基づいて上りリンク送信処理および下りリンク受信処理の制御を行う。上りリンクサブフレームと認識したサブフレームでは、端末は、上りリンク送信処理を行い、下りリンク受信処理を行わない。下りリンクサブフレームと認識したサブフレームでは、端末は、下りリンク受信処理を行い、上りリンク送信処理を行わない。スペシャルサブフレームと認識したサブフレームでは、端末は、更に前記スペシャルサブフレームからＤｗＰＴＳ、ＵｐＰＴＳ、およびＧＰを認識する。ＤｗＰＴＳと認識した時間では、端末は、下りリンク受信処理を行い、上りリンク送信処理を行わない。ＵｐＰＴＳと認識した時間では、端末は、上りリンク送信処理を行い、下りリンク受信処理を行わない。ＧＰと認識した時間では、端末は、上りリンク送信処理および下りリンク受信処理を行わない。
【００８２】
また上位レイヤー４００は、スケジューリング情報解釈部４０５を備える。スケジューリング情報解釈部４０５は、基地局１０１から受信した上りリンク通信のスケジューリングを通知するスケジューリング情報に基づき、上りリンク送信処理の制御を行うための制御情報を生成する。また、上位レイヤー４００は、前記スケジューリング情報に基づく送信タイミングまでに端末情報データ処理部４０１で上りリンク情報データを生成する。
【００８３】
上りリンク送信部４１０は、上位レイヤー４００から入力された上りリンク送信データを送信処理し、処理された上りリンク無線周波数帯域信号を端末送信アンテナ４２０に出力する。上りリンク送信部４１０は、上りリンクデータ生成部４１１、上りリンク制御チャネル生成部４１２、上りリンク参照信号生成部４１３、上りリンク送信信号処理部４１４、上りリンク無線送信部４１５を含んで構成される。
【００８４】
上りリンクデータ生成部（上りリンクデータチャネル領域割当部、上りリンクデータチャネルマッピング部、上りリンク共用チャネル生成部）４１１は、上位レイヤー４００が出力した上りリンク情報データに対して、適応制御を行い、基地局１０１に対する上りリンクデータチャネルを生成する。具体的には、上りリンクデータチャネル生成部４１１における適応制御は、誤り訂正符号化を行うための符号化処理、端末固有のスクランブル符号を施すためのスクランブル処理、多値変調方式などを用いるための変調処理、ＭＩＭＯなどの空間多重を行うためのレイヤーマッピング処理などを行う。上りリンクデータ生成部４１１は、生成した上りリンクデータチャネルを上りリンク送信信号生成部４１４に出力する。
【００８５】
上りリンク制御チャネル生成部（上りリンク制御チャネル領域割当部、上りリンク制御チャネルマッピング部）４１２は、上位レイヤー４００が出力した上りリンク制御情報データに対して、基地局１０１から割り当てられる無線リソースを介して端末１０２が送信する上りリンク制御チャネルを生成する。上りリンク制御チャネル生成部４１２は、生成した前記上りリンク制御チャネルを上りリンク送信信号生成部４１４に出力する。
【００８６】
上りリンク参照信号生成部４１３は、上りリンク参照信号を生成する。上りリンク参照信号生成部４１３は、予め定められた規則で求まる系列を上りリンク参照信号として生成する。上りリンク参照信号生成部４１３は、生成した前記上りリンク参照信号を上りリンク送信信号生成部４１４に出力する。
【００８７】
上りリンク送信信号生成部４１４は、上りリンクデータ生成部４１１から入力された上りリンクデータチャネル、および／または上りリンク制御チャネル生成部４１２から入力された上りリンク制御チャネル、および／または上りリンク参照信号生成部４１３から入力された上りリンク参照信号をプレコーディング処理、リソースエレメントマッピング処理を行う。プレコーディング処理が端末１０２によって用いられる場合、そのプレコーディング処理は、基地局１０１が効率よく受信できるように、入力された信号に対して位相回転および／または振幅制御などを行うことが好ましい。例えば、プレコーディング処理は、基地局１０１の受信信号の信号対雑音比（ＳＮＲ；Ｓｉｇｎａｌ  ｔｏ  Ｎｏｉｓｅ  Ｒａｄｉｏ）が最大になるように行うことが好ましい。また、予め決められたプレコーディング行列による処理、ＣＤＤ（Ｃｙｃｌｉｃ  Ｄｅｌａｙ  Ｄｉｖｅｒｓｉｔｙ）、送信ダイバーシチ（ＳＦＢＣ（Ｓｐａｔｉａｌ  Ｆｒｅｑｕｅｎｃｙ  Ｂｌｏｃｋ  Ｃｏｄｅ）、ＳＴＢＣ（Ｓｐａｔｉａｌ  Ｔｉｍｅ  Ｂｌｏｃｋ  Ｃｏｄｅ）、ＴＳＴＤ（Ｔｉｍｅ  Ｓｗｉｔｃｈｅｄ  Ｔｒａｎｓｍｉｓｓｉｏｎ  Ｄｉｖｅｒｓｉｔｙ）、ＦＳＴＤ（Ｆｒｅｑｕｅｎｃｙ  Ｓｗｉｔｃｈｅｄ  Ｔｒａｎｓｍｉｓｓｉｏｎ  Ｄｉｖｅｒｓｉｔｙ）など）を用いることができるがこれに限るものではない。ここで、端末１０２は基地局１０１からプレコーディング処理に関する情報が通知された場合、端末１０２は、基地局１０１に対してプレコーディング処理を行うことができる。リソースエレメントマッピング処理では、端末１０２は、基地局１０１から通知されたスケジューリング情報に基づいて、上りリンク送信信号処理部４１４に入力された上りリンクデータチャネル、上りリンク制御チャネルおよび／または上りリンク参照信号をそれぞれのリソースエレメントにマッピング（多重）し、上りリンク送信信号を生成する。上りリンク送信信号処理部４１４は、プレコーディング処理およびリソースエレメントマッピング処理を行った前記上りリンク送信信号を上りリンク無線送信部４１５に出力する。
【００８８】
上りリンク無線送信部４１５は、上りリンク送信信号処理部４１４から出力された上りリンク送信信号に離散フーリエ変換および逆離散フーリエ変換によるＳＣ−ＦＤＭＡ変換処理、ガードインターバルの付加処理、ベースバンド信号から無線周波数への変換処理などによる無線送信処理を行い、上りリンク無線周波数帯域幅信号を生成する。上りリンク無線送信部４１５は、生成した上りリンク無線周波数帯域幅信号を端末送信アンテナ部４２０に出力する。
【００８９】
端末送信アンテナ部４２０は、上りリンク送信部４１０から入力された無線周波数帯域信号を搬送波に載せて１つまたは複数の送信アンテナ数（送信アンテナポート数）の送信アンテナから基地局１０１に送信する。
【００９０】
上りリンク信号処理方法決定部４３０は、上位レイヤー４００から入力された情報を用いて、後述する上りリンク信号処理方法を決定する。上りリンク信号処理方法決定部４３０は、端末を制御する機能の一部であり、上りリンク信号処理方法決定部４３０で決定された上りリンク信号処理方法によって、端末情報データ処理部４０１、上りリンク送信信号処理部４１４、および、上りリンク無線送信部４１５が制御される。上位レイヤー４００から入力された情報には、上りリンク信号の送信の停止もしくは送信の制限を行うサブフレームの番号、上りリンク信号処理方法を決定する基準が含まれる。
【００９１】
図５は、本発明の実施形態に係る基地局の上りリンク通信時の構成を示す概略ブロック図である。図５では、一例として基地局１０１と端末１０２との通信を説明するが、本実施形態に係る基地局２０１の構成は、基地局１１１、基地局３５０１、基地局３５１１、基地局３６０１、ＲＲＨ１２１にも同様に備わっている。
【００９２】
図５において、基地局１０１は、基地局受信アンテナ部５００、上りリンク受信部５１０、上位レイヤー５２０を含んで構成される。なお、図示しないが、基地局１０１は基地局制御部も含んで構成され、基地局制御部は基地局１０１における様々な処理を制御することができる。
【００９３】
基地局受信アンテナ部５００は、端末１０２から送信された無線周波数帯域信号を１つまたは複数の受信アンテナ数（受信アンテナポート数）の受信アンテナで受信し、前記無線周波数帯域信号を上りリンク受信部５１０に出力する。
【００９４】
上りリンク受信部５１０は、基地局受信アンテナ部５００から入力された上りリンク無線周波数帯域信号を受信処理し、処理された上りリンク受信データを上位レイヤー５２０に出力する。上りリンク受信部５１０は、上りリンク無線受信部５１１、上りリンク受信信号処理部５１２、伝搬路推定部５１３、上りリンクデータ処理部５１４、上りリンク制御チャネル処理部５１５を含んで構成される。
【００９５】
上りリンク無線受信部５１１は、１つまたは複数の受信アンテナ数の受信アンテナを有する基地局受信アンテナ部５００により、端末１０２が送信した上りリンク無線周波数帯域信号を受信し、無線周波数からベースバンド信号への変換処理、付加されたガードインターバルの除去、離散フーリエ変換、周波数領域等化および逆離散フーリエ変換などによる時間周波数変換処理を行う。上りリンク無線受信部５１１は、基地局受信アンテナ部５００から入力された上りリンク無線周波数帯域信号を処理し、上りリンク受信信号として上りリンク受信信号処理部５１２に出力する。
【００９６】
上りリンク受信信号処理部５１２は、上りリンク受信信号をデマッピング（分離）する。具体的には、上りリンク受信信号処理部５１２は、上りリンク受信信号から上りリンク端末固有参照信号をデマッピングし、上りリンク伝搬路推定部５１３に出力する。また、上りリンク受信信号処理部５１２は、上りリンク受信信号から上りリンクデータチャネルをデマッピングし、上りリンクデータ処理部５１４に出力する。また、上りリンク受信信号処理部５１２は、上りリンク受信信号から上りリンク制御チャネルをデマッピングし、上りリンク制御チャネル処理部５１５に出力する。複数の端末がマッピングされている場合、上りリンク受信信号処理部５１２は、端末個別にデマッピングを行う。
【００９７】
上りリンク伝搬路推定部５１３は、上りリンク端末固有参照信号に基づいて、上りリンク制御チャネルおよび／または上りリンクデータチャネルの上りリンクリソースに対する伝搬路推定を行う。上りリンク伝搬路推定部５１３は、伝搬路推定の推定結果を、上りリンク制御チャネル処理部５１４および／または上りリンクデータチャネル処理部５１５に出力する。上りリンク伝搬路推定部５１３は、上りリンクデータチャネルおよび／または上りリンク制御チャネルに多重された上りリンク端末固有参照信号に基づいて、各送信アンテナポートの各受信アンテナポートに対する、それぞれのリソースエレメントにおける振幅と位相の変動（周波数応答、伝達関数）を推定（伝搬路推定）し、伝搬路推定値を求める。
【００９８】
また、上りリンク伝搬路推定部５１３は、サウンディング参照信号に対する伝搬路推定を行う。上りリンク伝搬路推定部５１３は、サウンディング参照信号に基づいて、各端末に対する、それぞれのリソースエレメントにおける振幅と位相の変動を推定し上位レイヤー５２０に出力する。
【００９９】
上りリンクデータチャネル処理部５１４は、上りリンク受信信号処理部５１２から入力されたデータチャネルに対して、上りリンク伝搬路推定部５１３から入力された伝搬路推定結果を用いた伝搬路補償処理（フィルタ処理）、レイヤーデマッピング処理、復調処理、デスクランブル処理、誤り訂正復号処理などを行い、上位レイヤー５２０に出力する。なお、上りリンク端末固有参照信号がマッピングされていないＳＣ−ＦＤＭＡシンボルは、上りリンク端末固有参照信号がマッピングされたＳＣ−ＦＤＭＡシンボルに基づいて、時間方向に補間または平均化等を行い、伝搬路推定を行う。伝搬路補償処理では、入力されたデータチャネルに対して、推定された伝搬路推定値を用いて、伝搬路補償を行い、情報データに基づくレイヤー毎の信号を検出（復元）する。その検出方法としては、ＺＦ（Ｚｅｒｏ  Ｆｏｒｃｉｎｇ）規範やＭＭＳＥ（Ｍｉｎｉｍｕｍ  Ｍｅａｎ  Ｓｑｕａｒｅ  Ｅｒｒｏｒ）規範の等化、ターボ等化、干渉除去などを用いることができる。レイヤーデマッピング処理では、レイヤー毎の信号をそれぞれの情報データにデマッピング処理を行う。以降の処理は情報データ毎に行われる。復調処理では、用いた変調方式に基づいて復調を行う。デスクランブル処理では、用いたスクランブル符号に基づいて、デスクランブル処理を行う。復号処理では、施した符号化方法に基づいて、誤り訂正復号処理を行う。
【０１００】
上りリンク制御チャネル処理部５１５は、上りリンク受信信号処理部５１２から入力された上りリンク制御チャネルに対して、上りリンク伝搬路推定部５１３から入力された伝搬路推定結果を用いた伝搬路補償処理、多重デマッピング処理、復調処理、誤り訂正復号処理などを行い、上位レイヤー５２０に出力する。
【０１０１】
上位レイヤー５２０は、通信に係るデータの様々な処理を行う。上位レイヤー５２０は、基地局情報データ処理部５２１、ＲＲＣ層処理部５２２、ＭＡＣ層処理部５２３、サブフレーム設定部５２４、スケジューリング情報決定部５２５を含んで構成される。
【０１０２】
基地局情報データ処理部５２１は、端末から送信された上りリンク受信データを上りリンク情報データおよび／または上りリンク制御情報に変換する。ここで、上りリンク情報データは、誤り訂正符号化処理を行う単位とすることができる。また、上りリンク情報データは、ＨＡＲＱ等の再送制御を行う単位とすることができる。また、基地局１０１は、前記基地局１０１と通信する端末からの複数の上りリンク情報データを受信することができる。
【０１０３】
また、基地局情報データ処理部５２１は、端末に対する下りリンク情報データおよび／または下りリンク制御情報データを生成する。ここで、下りリンク情報データは、誤り訂正符号化処理を行う単位とすることができる。また、下りリンク情報データは、ＨＡＲＱ等の再送制御を行う単位とすることができる。また、基地局１０１は、前記基地局１０１と通信する端末に複数の下りリンク情報データを送信することができる。
【０１０４】
また上位レイヤー５２０は、ＲＲＣ層処理部５２２を備える。基地局１０１と端末１０２は、上位レイヤーにおいて信号を送受信する。
【０１０５】
また上位レイヤー５２０は、ＭＡＣ層処理部５２３を備える。基地局１０１と端末１０２は、ＭＡＣ層において、ＭＡＣコントロールエレメントを送受信する。
【０１０６】
上位レイヤー５２０は、サブフレーム設定部５２４を備える。サブフレーム設定部５２４は、基地局１０１が用いる上り下り設定情報を決定する。サブフレーム設定部５２４は、上りリンク通信および下りリンク通信のトラフィック量や、周囲の基地局の情報に基づいて決定する。基地局１０１は、サブフレーム設定部５２４で決定された上り下り設定情報に従って、下りリンク送信処理と上りリンク受信処理を制御する。
【０１０７】
上位レイヤー５２０は、スケジューリング情報決定部５２５を備える。スケジューリング情報決定部５２５は、セル１００内部に存在する端末１０２との通信に用いられる上りリンクチャネルおよび下りリンクチャネルのリソースを決定する。スケジューリング情報決定部５２５は、基地局１０１と接続する端末の上りリンクチャネルの状態、基地局１０１と接続する端末の通信状況、および隣接する基地局１１１およびＲＲＨ１２１からのスケジューリングに関する情報から、端末１０２との上りリンク通信に用いられるリソースが決定されることが好ましい。またスケジューリング情報決定部５２５は、基地局１０１と接続する端末の下りリンクチャネルの状態、基地局１０１と接続する端末の通信状況、および隣接する基地局１１１およびＲＲＨ１２１からのスケジューリングに関する情報から、端末１０２との下りリンク通信に用いられるリソースが決定されることが好ましい。
【０１０８】
図６は、本発明の実施形態に係る基地局の下りリンク通信時の構成を示す概略ブロック図である。図６では、一例として基地局１１１と端末１１２との通信を説明するが、本実施形態に係る基地局２１１の構成は、基地局１０１、基地局３５０１、基地局３５１１、基地局３６０１、ＲＲＨ１２１にも同様に備わっている。
【０１０９】
図６において、基地局１１１は、上位レイヤー６００、下りリンク送信部６１０、基地局送信アンテナ部６２０を含んで構成される。なお、図示しないが、基地局１１１は基地局制御部も含んで構成され、基地局制御部は基地局１１１における様々な処理を制御することができる。
【０１１０】
上位レイヤー６００は、通信に係るデータの様々な処理を行う。上位レイヤー６００は、基地局情報データ処理部６０１、ＲＲＣ層処理部６０２、ＭＡＣ層処理部６０３、サブフレーム設定部６０４、スケジューリング情報決定部６０５を含んで構成され、図５の上位レイヤー５２０と同様の機能を備える。
【０１１１】
下りリンク送信部６１０は、上位レイヤー６００から入力された下りリンク情報データを送信処理し、処理された下りリンク無線周波数帯域信号を基地局送信アンテナ部６２０に出力する。下りリンク送信部６１０は、下りリンクデータ生成部６１１、下りリンク制御チャネル生成部６１２、下りリンク参照信号生成部６１３、下りリンク送信信号処理部６１４、下りリンク無線送信部６１５を含んで構成される。
【０１１２】
下りリンクデータチャネル生成部（下りリンクデータチャネル領域割当部、下りリンクデータチャネルマッピング部、下りリンク共用チャネル生成部）６１１は、上位レイヤー６００が出力した下りリンク情報データに対して、適応制御を行い、端末１１２に対する下りリンクデータチャネルを生成する。具体的には、下りリンクデータチャネル生成部６１１における適応制御は、誤り訂正符号化を行うための符号化処理、端末に固有のスクランブル符号を施すためのスクランブル処理、多値変調方式などを用いるための変調処理、ＭＩＭＯなどの空間多重を行うためのレイヤーマッピング処理などを行う。ここで、下りリンクデータチャネル生成部６１１におけるレイヤーマッピング処理は、端末に対して設定するランク数に基づいて、１つ以上のレイヤー（ストリーム）にマッピングする。下りリンクデータ生成部６１１は、生成した前記下りリンクデータチャネルを下りリンク送信信号生成部６１４に出力する。
【０１１３】
下りリンク制御チャネル生成部（下りリンク制御チャネル領域割当部、下りリンク制御チャネルマッピング部）６１２は、基地局１１１が、端末１１２に対する下りリンク制御情報を送信する場合に、制御チャネル領域を介して送信する下りリンク制御チャネルおよび／または拡張下りリンク制御チャネルを生成する。下りリンク制御チャネル生成部６１２は、生成した前記下りリンク制御チャネルおよび／または前記拡張下りリンク制御チャネルを下りリンク送信信号生成部６１４に出力する。
【０１１４】
下りリンク参照信号生成部６１３は、下りリンク参照信号を生成する。下りリンク参照信号生成部６１３は、予め定められた規則で求まる系列を下りリンク参照信号として生成する。下りリンク参照信号生成部６１３は、生成した前記下りリンク参照信号を下りリンク送信信号生成部６１４に出力する。
【０１１５】
下りリンク送信信号処理部６１４は、下りリンクデータ生成部６１１から入力された下りリンクデータチャネル、および／または下りリンク制御チャネル生成部６１２から入力された下りリンク制御チャネルおよび／または拡張下りリンク制御チャネル、および／または下りリンク参照信号生成部６１３から入力された下りリンク参照信号に対して、プレコーディング処理、リソースエレメントマッピング処理が行われる。プレコーディング処理は、下りリンクデータチャネル、下りリンク制御チャネル、拡張下りリンク制御チャネル、下りリンク端末固有参照信号、および／または拡張下りリンク制御チャネル復調参照信号に対して行われる。ここで、プレコーディング処理は、下りリンク端末固有参照信号および／または拡張下りリンク制御チャネル復調参照信号が複数の端末によって共用されるか、下りリンク端末固有参照信号および／または拡張下りリンク制御チャネル復調参照信号が１つの端末によって用いられるかによって、処理が異なってもよい。プレコーディング処理が端末１１２によって用いられる場合、そのプレコーディング処理は、端末１１２が効率よく受信できるように、入力された信号に対して位相回転および／または振幅制御などを行うことが好ましい。例えば、プレコーディング処理は、端末１１２の受信電力が最大になるように、または隣接セルからの干渉が小さくなるように、または隣接セルへの干渉が小さくなるように行うことが好ましい。また、予め決められたプレコーディング行列による処理、ＣＤＤ、送信ダイバーシチを用いることができるがこれに限るものではない。また、下りリンク端末固有参照信号が複数の端末によって供用される場合、そのプレコーディング処理は、予め決められたプレコーディング行列による処理、ＣＤＤ、送信ダイバーシチを用いることが好ましい。ここで、基地局１１１は端末１１２からプレコーディング処理に関するフィードバック情報であるＰＭＩ（Ｐｒｅｃｏｄｉｎｇ  Ｍａｔｒｉｘ  Ｉｎｄｉｃａｔｏｒ）として複数種類に分けられたものがフィードバックされた場合、基地局１１１は、端末１１２に対して、その複数のＰＭＩを乗算などによる演算を行った結果に基づいて、プレコーディング処理を行うことができる。リソースエレメントマッピング処理では、基地局１１１は上位レイヤー６００のスケジューリング情報に基づいて、下りリンク送信信号処理部６１４に入力されたそれぞれの下りリンクデータチャネル、下りリンク制御チャネル、下りリンク参照信号、および／または拡張下りリンク制御チャネル復調参照信号をそれぞれのアンテナポートのリソースエレメントにマッピングし、下りリンク送信信号を生成する。具体的には、下りリンク送信信号処理部６１４は、下りリンクデータチャネルは共用チャネル領域の下りリンクデータチャネル領域にマッピングする。さらに、下りリンク送信信号処理部６１４は、共用チャネル領域の下りリンク制御チャネル領域に下りリンク制御チャネルをマッピングする。さらに、下りリンク送信信号処理部６１４は、共用チャネル領域の拡張下りリンク制御チャネル領域に拡張下りリンク制御チャネルをマッピングする。ここで、基地局１１１は、下りリンク制御チャネル領域に、複数の端��宛の下りリンク制御チャネルをマッピングすることができる。下りリンク送信信号処理部６１４は、プレコーディング処理およびソースエレメントマッピング処理を行った前記下りリンク送信信号を下りリンク無線送信部６１５に出力する。
【０１１６】
下りリンク無線送信部６１５は、下りリンク送信信号処理部６１４から出力された下りリンク送信信号に逆高速フーリエ変換（ＩＦＦＴ；Ｉｎｖｅｒｓｅ  Ｆａｓｔ  Ｆｏｕｒｉｅｒ  Ｔｒａｎｓｆｏｒｍ）処理、ガードインターバルの付加処理、ベースバンド信号から無線周波数への変換処理などによる無線送信処理を行い、下りリンク無線周波数帯域幅信号を生成する。下りリンク無線送信部６１５は、生成した前記下りリンク無線周波数帯域幅信号を基地局送信アンテナ部６２０に出力する。
【０１１７】
基地局送信アンテナ部６２０は、下りリンク送信部６１０から入力された無線周波数帯域信号を搬送波に載せて１つまたは複数の送信アンテナ数（送信アンテナポート数）の送信アンテナから端末１１２に送信する。なお、基地局送信アンテナ部６２０のアンテナは、図５の基地局受信アンテナ部５００のアンテナの一部もしくは全部を共用することが好ましい。
【０１１８】
図７は、本発明の実施形態に係る端末の下りリンク通信時における構成を示す概略ブロック図である。図７では、一例として基地局１１１と端末１１２との通信を説明するが、本実施形態に係る基地局の構成は、端末１０２、端末１２２、端末３５０２、端末３５１２、端末３６０２にも同様に備わっている。
【０１１９】
図７において、端末１１２は、端末受信アンテナ部７００、下りリンク受信部７１０、上位レイヤー７２０を含んで構成される。なお、図示しないが、端末１１２は端末制御部を含んで構成され、端末制御部は端末１１２における様々な処理を制御することができる。
【０１２０】
端末受信アンテナ部７００は、基地局１１１から送信された無線周波数帯域信号を１つまたは複数の受信アンテナ数の受信アンテナで受信し、前記無線周波数帯域信号を下りリンク受信部７１０に出力する。なお、端末受信アンテナ部７００のアンテナは、図４の端末送信アンテナ部４２０のアンテナの一部もしくは全部を共用することが好ましい。
【０１２１】
下りリンク受信部７１０は、端末受信アンテナ部７００から入力された下りリンク無線周波数帯域信号を受信処理し、処理された下りリンク受信データを上位レイヤー７２０に出力する。下りリンク受信部７１０は、下りリンク無線受信部７１１、下りリンク受信信号処理部７１２、下りリンク伝搬路推定部７１３、下りリンク制御チャネル処理部７１４、下りリンクデータチャネル処理部７１５を含んで構成される。
【０１２２】
下りリンク無線受信部７１１は、１つまたは複数の受信アンテナ数の端末受信アンテナ部７００により、基地局１１１が送信した下りリンク無線周波数帯域信号を受信し、無線周波数からベースバンド信号への変換処理、付加されたガードインターバルの除去、高速フーリエ変換（ＦＦＴ；Ｆａｓｔ  Ｆｏｕｒｉｅｒ  Ｔｒａｎｓｆｏｒｍ）などによる時間周波数変換処理を行う。下りリンク無線受信部７１１は、端末受信アンテナ部７００から入力された入力された下りリンク無線周波数帯域信号を処理し、下りリンク受信信号として下りリンク受信信号処理部７１２に出力する。
【０１２３】
下りリンク受信信号処理部７１２は、基地局１１１でマッピングされた下りリンク受信信号をデマッピング（分離）する。具体的には、下りリンク受信信号処理部７１２は、下りリンク受信信号から下りリンク参照信号をデマッピングし、下りリンク伝搬路推定部７１３に出力する。また下りリンク受信信号処理部７１２は、下りリンク受信信号から下りリンク制御チャネル領域および／または拡張下りリンク制御チャネル領域にマッピングされている下りリンク制御チャネルをデマッピングし、下りリンク制御チャネル処理部７１４に出力する。また下りリンク受信信号処理部７１２は、下りリンク受信信号から下りリンクデータチャネルをデマッピングし、下りリンクデータ処理部７１５に出力する。
【０１２４】
下りリンク伝搬路推定部７１３は、下りリンク端末固有参照信号に基づいて、下りリンクデータチャネルの下りリンクリソースに対する伝搬路推定を行う。また、下りリンク伝搬路推定部７１３は、セル固有参照信号に基づいて、下りリンク制御チャネルの下りリンクリソースに対する伝搬路推定を行う。また、下りリンク伝搬路推定部７１３は、拡張下りリンク制御チャネル復調参照信号に基づいて、拡張下りリンク制御チャネルの下りリンクリソースに対する伝搬路推定を行う。下りリンク伝搬路推定部７１３は、伝搬路推定の推定結果を、下りリンク制御チャネル処理部７１４および／または下りリンクデータチャネル処理部７１５に出力する。下りリンク伝搬路推定部７１３は、前記下りリンクデータチャネルおよび／または前記下りリンク制御チャネルに多重された下りリンク端末固有参照信号に基づいて、各送信アンテナポートの各受信アンテナポートに対する、それぞれのリソースエレメントにおける振幅と位相の変動を推定し、伝搬路推定値を求める。
【０１２５】
また、下りリンク伝搬路推定部７１３は、セル固有参照信号および／またはチャネル状態情報参照信号に対する伝搬路推定を行う。下りリンク伝搬路推定部７１３は、セル固有参照信号および／またはチャネル状態情報参照信号に基づいて、各送信アンテナポートの各受信アンテナポートに対する、それぞれのリソースエレメントにおける振幅と位相の変動を推定し、上位レイヤー７００に出力する。
【０１２６】
下りリンク制御チャネル処理部７１４は、下りリンク受信信号処理部７１２から入力された下りリンク制御チャネル領域および／または拡張下りリンク制御チャネル領域に含まれる複数端末宛の制御チャネルから端末１１２宛の下りリンク制御チャネルを探索する。ここで、下りリンク制御チャネル処理部７１４は、端末１１２宛の下りリンク制御チャネルを探索する下りリンク制御チャネル領域として、下りリンク制御チャネル領域および／または拡張下りリンク制御チャネル領域を設定する。下りリンク制御チャネル処理部７１４は、端末固有番号（ＲＮＴＩ；Ｒａｄｉｏ  Ｎｅｔｗｏｒｋ  Ｔｅｍｐｏｒａｒｙ  Ｉｄｅｎｔｉｆｉｅｒ）の端末固有の情報を用いて端末１１２宛の下りリンク制御チャネルを探索する。
【０１２７】
具体的には、下りリンク制御チャネル処理部７１４は、下りリンク制御情報の種類、マッピングされるリソースの位置、マッピングされるリソースの大きさ等に基づいて得られる制御チャネルの候補の全部または一部を、復調および復号処理を行い、逐次探索する。下りリンク制御チャネル処理部７１４は、端末１１２宛の下りリンク制御情報か否かを判定する方法として、下りリンク制御情報に付加される誤り検出符号（例えば、ＣＲＣ（Ｃｙｃｌｉｃ  Ｒｅｄｕｎｄａｎｃｙ  Ｃｈｅｃｋ）符号）を用いる。また、このような探索方法は、ブラインドデコーディングとも呼称される。
【０１２８】
下りリンク制御チャネル処理部７１４は、検出された下りリンク制御チャネルに端末１１２宛の下りリンク制御情報がマッピングされていた場合、前記下りリンク制御情報を上位レイヤー７２０または端末制御部に送る。
【０１２９】
下りリンクデータチャネル処理部７１５は、下りリンク受信信号処理部７１２から入力されたデータチャネルに対して、下りリンク伝搬路推定部７１３から入力された伝搬路推定結果を用いた伝搬路補償処理、レイヤーデマッピング処理、復調処理、デスクランブル処理、誤り訂正復号処理などを行い、上位レイヤー７２０に出力する。なお、下りリンク端末固有参照信号がマッピングされていないリソースエレメントは、下りリンク端末固有参照信号がマッピングされたリソースエレメントに基づいて、周波数方向および時間方向に補間または平均化等を行い、伝搬路推定を行う。伝搬路補償処理では、入力されたデータチャネルに対して、推定された伝搬路推定値を用いて、伝搬路補償を行い、情報データに基づくレイヤー毎の信号を検出する。その検出方法としては、ＺＦ規範やＭＭＳＥ規範の等化、ターボ等化、干渉除去などを用いることができる。レイヤーデマッピング処理では、レイヤー毎の信号をそれぞれの情報データにデマッピング処理を行う。以降の処理は情報データ毎に行われる。復調処理では、用いた変調方式に基づいて復調を行う。具体的には、復調処理では、下りリンク制御チャネル処理部７１４で取得した下りリンク制御チャネルに含まれる変調符号情報に基づいて復調を行う。デスクランブル処理では、用いたスクランブル符号に基づいて、デスクランブル処理を行う。復号処理では、施した符号化方法に基づいて、誤り訂正復号処理を行う。具体的には、復号処理では、下りリンク制御チャネル処理部７１４で取得した下りリンク制御チャネルに含まれる変調符号情報に基づいて誤り訂正復号処理を行う。
【０１３０】
上位レイヤー７２０は、通信に係るデータの様々な処理を行う。上位レイヤー７２０は、端末情報データ処理部７２１、ＲＲＣ層処理部７２２、ＭＡＣ層処理部７２３、サブフレーム解釈部７２４、スケジューリング情報解釈部７２５を含んで構成され、図４の上位レイヤー４００と同様の機能を備える。
【０１３１】
以下では、上りリンク物理チャネル、および、上りリンク参照信号の無線リソースの割当について説明する。
【０１３２】
上りリンクデータチャネルは、新しい上りリンク情報データを送信する（初回送信）時、前回送信した上りリンク情報データに対して基地局から受信不可の情報を受信した際に前回送信した上りリンク情報データを改めて送信する（再送信）時、半永続スケジューリング（ＳＰＳ；Ｓｅｍｉ−Ｐｅｒｓｉｓｔｅｎｔ  Ｓｃｈｅｄｕｌｉｎｇ）で設定されて送信する時、ＴＴＩ（Ｔｒａｎｓｍｉｓｓｉｏｎ  Ｔｉｍｅ  Ｉｎｔｅｒｖａｌ）  ｂｕｎｄｌｉｎｇで設定されて送信する時で、割り当てられる無線リソースを独立に設定できる。
【０１３３】
初回送信時の上りリンクデータチャネルは、下りリンク制御チャネルで送信される上りリンクグラントによって初回送信を示す情報を端末が受信したサブフレームから４サブフレーム以上後の上りリンクサブフレームで送信される。上りリンクデータチャネルのリソースブロックは、下りリンク制御チャネルで送信される上りリンクグラントによって通知される。
【０１３４】
再送信時の上りリンクデータチャネルは、ＨＡＲＱ指示チャネルでＮＡＣＫを端末が受信したサブフレーム、もしくは上りリンクグラントによって再送信を示す情報を端末が受信したサブフレームからＨＡＲＱプロセスに関連付けられた上りリンクサブフレームで送信される。再送信時の上りリンクデータチャネルで用いられるリソースブロックは、ＨＡＲＱ指示チャネルでＮＡＣＫを受信した時と、上りリンクグラントによって再送信を示す情報が含まれた時と、で独立に設定できる。ＨＡＲＱ指示チャネルでＮＡＣＫを受信した時は、端末は前回の上りリンクデータチャネルの送信で割り当てられたリソースブロックを用いて上りリンクデータチャネルの再送信を行う。一方で、上りリンクグラントによって再送信を示す情報が含まれた時は、端末は上りリンクグラントに含まれる割当リソースブロック情報で示されたリソースブロックを用いて再送信を行う。
【０１３５】
新たに半永続スケジューリングで設定された上りリンクデータチャネルは、下りリンク制御チャネルで送信される上りリンクグラントによって半永続スケジューリングを示す情報を端末が受信したサブフレームから４サブフレーム以上後の上りリンクサブフレームで送信される。以後、端末が半永続スケジューリングの停止指示を受信するまで、端末は上位レイヤーで設定された半永続スケジューリングに関する情報に含まれるサブフレーム間隔および前回の半永続スケジューリングで設定された上りリンクデータチャネルで送信されたリソースブロックを用いて上りリンクデータチャネルを送信する。
【０１３６】
ＴＴＩ  ｂｕｎｄｌｉｎｇで設定された上りリンクデータチャネルは、下りリンク制御チャネルで送信される上りリンクグラントによって送信を示す情報を端末が受信したサブフレームから４サブフレーム以上後の上りリンクサブフレームで送信される。また、前記上りリンクサブフレームから順番に４つの連続した上りリンクサブフレームで上りリンクデータチャネルが送信される。
【０１３７】
上りリンク制御チャネルは、該上りリンク制御チャネルに含むデータの種類、つまり下りリンク情報データの復号の成否情報、上りリンクデータチャネルのスケジューリング要求、下りリンクのチャネル状態情報によって、割り当てられる無線リソースを個別に設定できる。
【０１３８】
上りリンク制御チャネルに下りリンク情報データの復号の成否情報を含む場合、上りリンク制御チャネルは、該下りリンク情報データに対応する下りリンクアサインメントに関連付けられたリソースブロックを用いて送信される。また上りリンク制御チャネルは、該下りリンク情報データが送信された下りサブフレームから４サブフレーム以上後の上りサブフレームを用いて送信される。
【０１３９】
上りリンク制御チャネルに上りリンクデータチャネルのスケジューリング要求を含む場合、上りリンク制御チャネルは、上位レイヤーで設定されたリソースブロックを用いて送信される。また上りリンク制御チャネルは、スケジューリング要求が送信可能なサブフレームを用いて送信される。上りリンクデータチャネルのスケジューリング要求が送信可能なサブフレームは、時間周期で設定される。またスケジューリング要求が送信可能なサブフレームは、上位レイヤーから周期情報で設定される。
【０１４０】
上りリンク制御チャネルに下りリンクのチャネル状態情報を含む場合、上りリンク制御チャネルは、上位レイヤーで設定されたリソースブロック情報を用いて送信される。また上りリンク制御チャネルは、上位レイヤーで設定されたサブフレーム情報を用いて送信される。下りリンクのチャネル状態情報を含む上りリンク制御チャネルの送信サブフレームは、時間周期で設定される。また下りリンクのチャネル状態情報を含む上りリンク制御チャネルの送信サブフレームは、上位レイヤーから周期情報で設定される。
【０１４１】
上りリンク端末固有参照信号は、上りリンクデータチャネルや上りリンク制御チャネルで割り当てられたリソースに含まれて送信されるため、上りリンクデータチャネルや上りリンク制御チャネルが送信されるリソースブロックとサブフレームで送信される。
【０１４２】
サウンディング参照信号は、周期的サウンディング参照信号と非周期的サウンディング参照信号で割り当てられる無線リソースを独立に設定できる。
【０１４３】
周期的サウンディング参照信号は、上位レイヤーで設定されたリソースブロック情報を用いて送信される。また周期的サウンディング参照信号は、上位レイヤーで設定されたサブフレーム情報を用いて送信される。周期的サウンディング参照信号の送信サブフレームは、時間周期で設定される。また周期的サウンディング参照信号の送信サブフレームは、上位レイヤーから周期情報で設定される。
【０１４４】
非周期的サウンディング参照信号は、上位レイヤーで設定されたリソースブロック情報を用いて送信される。また非周期的サウンディング参照信号は、上位レイヤーで設定されたサブフレーム情報を用いて送信される。
【０１４５】
次に、トラフィックアダプテーションの方法について説明する。トラフィックアダプテーションには、上り下り設定を可変（再設定、変更）する（ＴＤＤ  ＵＬ−ＤＬ  ｒｅｃｏｎｆｉｇｕｒａｔｉｏｎ）方法と、上りリンクサブフレームにも下りリンクサブフレームにも柔軟に設定できるサブフレーム（フレキシブルサブフレーム；ｆｒｅｘｉｂｌｅ  ｓｕｂｆｒａｍｅ）を設定する方法と、がある。
【０１４６】
上り下り設定を可変にする方法は、図３の上り下り設定の表を基に、上り下り設定情報を切り替えて、無線フレーム内における上りリンクサブフレーム数と下りリンクサブフレーム数の割合を変化させる方法である。
【０１４７】
上り下り設定を可変する方法では、基地局は端末に上り下り設定情報をＲＲＣシグナリングで通知され、基本的には無線フレーム長（１０ｍｓ）よりも長い間隔で切り替える。端末は、基地局より個別に上り下り設定情報をＲＲＣシグナリングで通知される。
【０１４８】
一方で、フレキシブルサブフレームを設定する方法は、端末は所定のサブフレームがフレキシブルサブフレームとして設定され、基地局からの指示によって該フレキシブルサブフレームが上りリンクサブフレームや下りリンクサブフレームに変化する方法である。図８は、フレキシブルサブフレームを含んだ無線フレーム構成の一例である。「Ｕ」は上りリンクサブフレーム、「Ｄ」は下りリンクサブフレーム、「Ｓ」はスペシャルサブフレーム、「Ｕ／Ｄ」はフレキシブルサブフレームである。図８の例は、サブフレーム番号３、４、８、９のサブフレームがフレキシブルサブフレームである。初めに、端末は、フレキシブルサブフレームを含んだ無線フレーム構成の情報を取得し、無線フレーム内におけるフレキシブルサブフレームの位置を把握する。次に、端末は、基地局からの指示を受けて、上りリンク送信処理もしくは下りリンク受信処理を行う。基地局からの指示は、例えば、上りリンクグラント（ＰＤＣＣＨシグナリング）による指示である。基地局からの指示を受けなかったフレキシブルサブフレームは、初めに設定されたサブフレームの動作を行う。例えば、端末は、基地局からの指示を受けなかったフレキシブルサブフレームを上りリンクサブフレームとみなす。
【０１４９】
フレキシブルサブフレームを設定する方法では、基地局は端末に基となる上り下り設定情報をシステム情報で報知する。つまり、本方法は、基となる無線フレーム構成は設定され、無線フレーム構成に含まれているフレキシブルサブフレームによって、上りリンク通信のリソースと下りリンク通信のリソースを可変する。
【０１５０】
ここで、同じサブフレーム番号において隣接セル間で上りリンクサブフレームと下りリンクサブフレームが設定されると、セル間干渉の一種である基地局−基地局間干渉、端末−端末間干渉が発生する。
【０１５１】
基地局−基地局間干渉は、基地局から送信される下りリンクの信号が隣接セルの基地局の上りリンクに与える干渉である。具体的には、基地局１０１は端末１０２からの上りリンク信号の受信処理を行う。同時に、基地局１１１は端末１１２に対して下りリンク信号の送信処理を行う。この場合に、基地局１１１から送信された下りリンク信号は、基地局１０１の受信装置に入り込み、端末１０２から送信された上りリンク信号の復号精度を低下させる。すなわち、基地局１１１から送信された下りリンク信号は、端末１０２から送信された上りリンク信号に対して干渉信号となる。
【０１５２】
端末−端末間干渉は、端末から送信される上りリンクの信号が隣接セルの端末の下りリンクに与える干渉である。具体的には、端末１０２は基地局１０１に対して上りリンク信号の送信処理を行う。同時に、端末１１２は基地局１１１からの下りリンク信号の受信処理を行う。この場合に、端末１０２から送信された上りリンク信号は、端末１１２の受信装置に入り込み、基地局１１１から送信された下りリンク信号の復号精度を低下させる。すなわち、端末１０２から送信された上りリンク信号は、基地局１１１から送信された下りリンク信号に対して干渉信号となる。
【０１５３】
また、ヘテロジーニアスネットワークで上りリンク通信のカバレッジと下りリンク通信のカバレッジが異なる環境では、端末−端末間干渉は更に顕著となる。ＲＲＨ１２１は、基地局１１１よりも低い電力で送信されるため、下りリンク通信のカバレッジが狭い。一方で、上りリンクのカバレッジは、主に端末の送信電力に依存するため、前記下りリンク通信のカバレッジよりも広いカバレッジが設定されることがある。そのため、同じ端末位置で上りリンクで接続する基地局と下りリンクで接続する基地局が異なる可能性がある。そのような状況において、同じ位置で上りリンク通信を行う端末と下りリンク通信を行う端末が共存する可能性が考えられる。
【０１５４】
以下では、上記のセル間干渉に対して効果を発揮する本実施形態の構成を説明する。
【０１５５】
本発明の第１の実施形態において、上りリンクサブフレームを設定する基地局１０１と前記基地局１０１と異なる基地局１１１が同じ帯域を用いて下りリンクサブフレームが設定された場合、セル間干渉が発生する。そこで、基地局１０１は、前記基地局１０１と通信する端末１０２に対して端末１０２が送信される予定の上りリンク信号の送信を制限する上りリンクサブフレームもしくはスペシャルサブフレームを設定する。
【０１５６】
上りリンク送信制限サブフレームは、上りリンク信号の送信を制限するサブフレームである。例えば、上りリンク送信制限サブフレームは、上りリンクサブフレームもしくはスペシャルサブフレームに設定することができる。以下では、上りリンク送信制限サブフレームとして設定された上りリンクサブフレームを上りリンクブランクサブフレームもしくは上りリンクミュートサブフレームと呼称し、上りリンク送信制限サブフレームとして設定されたスペシャルサブフレームを、ＵｐＰＴＳブランクサブフレーム、上りリンクブランクスペシャルサブフレーム、もしくは上りリンクミュートスペシャルサブフレームと呼称する。上りリンク送信制限サブフレームが設定された端末が上りリンク信号の送信の制限を行うことで、通信システムは、前記端末が位置するセルとは異なるセルで下りリンク通信を行っている端末に与える干渉を抑制することができる。
【０１５７】
上りリンク信号の送信を行う端末１０２は、基地局１０１から上りリンク送信制限サブフレームが設定される。上りリンク送信制限サブフレームが設定された端末１０２は、セル１１０に所属する下りリンク信号の受信処理を行う端末１１２に対して、上りリンク送信制限サブフレームが設定されたサブフレームで送信を予定していた上りリンク信号の制限を行う。これにより、端末１１２は端末１０２からの干渉を受けずに基地局１１１からの下りリンク信号を受信することができる。つまり、上りリンク送信制限サブフレームを設定し、上りリンク信号の送信を制限することにより、端末−端末間干渉を抑制することができる。
【０１５８】
本実施形態では、基地局は、上りリンク送信制限サブフレームの設定に関する情報（上りリンク送信制限サブフレーム設定情報、上りリンクブランクサブフレーム設定情報；ｕｐｌｉｎｋ  ｂｌａｎｋ  ｓｕｂｆｒａｍｅ  ｃｏｎｆｉｇｕｒａｔｉｏｎ、上りリンクブランクサブフレームコンフィグ；ｕｐｌｉｎｋ  ｂｌａｎｋ  ｓｕｂｆｒａｍｅＣｏｎｆｉｇ、ミュートサブフレーム設定情報、制限情報）を端末固有に通知する。上りリンク送信制限サブフレーム設定情報は、上りリンク信号の送信を制限するサブフレームを示す。端末は、前記上りリンク送信制限サブフレームの設定に関する情報を基地局から設定される。端末は、前記上りリンク送信制限サブフレームの設定に関する情報で示されたサブフレームが上りリンクサブフレームであった場合、上りリンク信号の送信を制限する。すなわち、上りリンク送信制限サブフレームは、上りリンクサブフレームであり、かつ前記上りリンク送信制限サブフレーム設定情報で示されたサブフレームであるサブフレームと言える。
【０１５９】
基地局は、ＲＲＣシグナリングを通じて端末に通知する。すなわち、上りリンク送信制限サブフレームは端末個別に設定できる。基地局１０１近傍で上りリンク送信を行う端末１０２−Ｂは、隣接セル１１０に存在する下りリンク信号を受信する端末１１２との距離が離れているため、端末−端末間干渉を与える可能性は低い。この場合において、端末１０２−Ｂは、上りリンク信号の送信を停止または制限するサブフレームを端末１０２−Ｂが設定された上りリンクサブフレームの総数に対して高頻度で設定すると、上りリンク通信の無線リソースを著しく減少する。そのため、端末１０２−Ｂの上りリンク送信制限サブフレームが設定される割合は上りリンクサブフレームの割合に対して少頻度が好ましい。一方で、基地局１０１の遠方に存在する端末１０２−Ａは、隣接セルに存在する下りリンク信号を受信する端末１１２との距離が近いため、上りリンク信号が干渉として与える可能性がある。そのため、端末１０２−Ａは、端末１１２に干渉を与える可能性がある上りリンクサブフレームに対して上りリンク送信制限サブフレームが設定される。端末１０２−Ａは送信する予定であった上りリンク信号の送信が制限されるため、端末１０２−Ａの上りリンク通信のスループットは低下する。一方で、干渉を与える可能性の低い端末１０２−Ｂは上りリンク信号を送信できるため、端末１０２−Ｂの上りリンク通信のスループットは、低下しない。基地局１０１と上りリンクで通信する端末で平均されたスループットは、僅かな低下で通信を行うことができる。ゆえに、上りリンク送信制限サブフレームを端末固有に設定することにより、上りリンク送信制限サブフレームを基地局固有（セル固有）に設定する場合と比べて、上りリンク通信のスループット低下が抑圧できる。
【０１６０】
また本実施形態では、基地局は、上りリンク送信制限サブフレーム設定情報を１つ以上のサブフレームを示すサブフレームセットとしてビットマップ形式で通知する。ビットマップ形式とは、各サブフレームに対応するビットの集合体で表され、上りリンク送信制限サブフレームの設定に関する情報は、前記ビットマップのうちのそれぞれのビットに対応するそれぞれのサブフレームにおいて上りリンク送信制限サブフレームの有効または無効を示す情報となる。上りリンク送信制限サブフレームの有効とは、前記ビットに対応するサブフレームを上りリンク送信制限サブフレーム（例えば、上りリンク送信しないサブフレーム）とみなす。また、上りリンク送信制限サブフレームの無効とは、前記ビットに対応するサブフレームを元のサブフレーム、つまり、上りリンクサブフレーム（例えば、上りリンク送信するサブフレーム）もしくはスペシャルサブフレームとみなす。上りリンク送信制限サブフレームの設定と、サブフレームに対応するビットマップの表現例を図９と図１０に示す。「Ｕ」は上りリンクサブフレーム、「ＵＢ」は上りリンクブランクサブフレーム、「Ｄ」は下りリンクサブフレーム、「Ｓ」はスペシャルサブフレーム、「ＳＢ」はＵｐＰＴＳブランクサブフレームを示す。ＴＤＤ方式では、１つのコンポーネントキャリア内で、上りリンクサブフレームの他に、下りリンクサブフレーム、スペシャルサブフレームが設定されるため、上記ビットマップ形式の構成は、上りリンクサブフレームおよびスペシャルサブフレームの他に下りリンクサブフレームにもビットが対応する構成と、上りリンクサブフレームおよびスペシャルサブフレームのみにビットが対応する構成の二種類が存在する。
【０１６１】
図９では、上りリンクサブフレーム、下りリンクサブフレーム、またはスペシャルサブフレームをビットマップ形式に含まれるビットの情報で０に対応し、上りリンクブランクサブフレームまたはＵｐＰＴＳブランクサブフレームをビットマップ形式に含まれるビットの情報で１に対応するように割り当てる。すなわち、ビットマップ形式に含まれるビットの情報が１のとき、上りリンク送信制限サブフレームが有効であることを示し、ビットマップ形式に含まれるビットの情報が０のとき、上りリンク送信制限サブフレームが無効であることを示す。
【０１６２】
図９の方式は、ビットマップ形式に含まれるビット情報が全てのサブフレームに割り当てられる。言い換えると、各サブフレームとビットマップ形式の各ビットが一対一で関連付けられて設定される。
【０１６３】
なお、前記ビットマップ形式に含まれるビットの値に対応するサブフレームは、反転してもよい。つまり、上りリンク信号の送信の制限の設定が有効なサブフレームと０を関連付け、上りリンク信号の送信の制限の設定が無効なサブフレームを１と関連付ける。
【０１６４】
基地局１０１は、上りリンク送信制限サブフレーム設定情報を図９のビットマップ形式で端末１０２−Ａ、端末１０２−ＢにそれぞれＲＲＣシグナリングを介して通知する。端末１０２は、前記設定情報を基地局１０１から受信し、サブフレーム解釈部４０４に送る。サブフレーム解釈部４０４は、既にサブフレーム解釈部４０４で認識された無線フレーム構成を基に、先頭サブフレーム番号から順番に先頭ビットマップを割り当てる。ここで、下りリンクサブフレームに上りリンク送信制限サブフレームの設定された場合は、サブフレーム解釈部４０４は下りリンクサブフレームとして認識する。これにより、端末１０２は、基地局から受信した上りリンク送信制限サブフレーム設定情報から、上りリンク送信制限サブフレームで設定されるサブフレームを認識する。
【０１６５】
図９のような上りリンク送信制限サブフレーム設定情報の構成は、下りリンクサブフレームに対してもビットを割り当てるため、端末に余分なビット情報を通知することになってオーバーヘッドの増加を招く可能性がある。そこで、下りリンクサブフレームにビットを割り当てないビットマップ形式の構成の一例を図１０に示す。本構成は、具体的には、上りリンクサブフレームまたはスペシャルサブフレームを０、上りリンク送信制限サブフレームを１に対応させる。図１０の例の特徴は、上りリンク信号が送信される可能性のない下りリンクサブフレームに割り当てられるビット情報を削減して通知することである。図１０の例は、図９の例と比較して、通知に必要な情報量を２ビット削減することができる。
【０１６６】
基地局１０１は、上りリンク送信制限サブフレーム設定情報を図１０のビットマップを端末１０２−Ａ、端末１０２−ＢにそれぞれＲＲＣシグナリングを介して通知する。端末１０２は、前記設定情報を基地局１０１から受信し、サブフレーム解釈部４０４に送る。サブフレーム解釈部４０４は、既にサブフレーム解釈部４０４で認識された無線フレーム構成を基に、先頭サブフレーム番号から順番に先頭ビットマップを割り当てる。サブフレームが下りリンクサブフレームである場合は、サブフレーム解釈部４０４は、解釈処理を次のサブフレームに飛ばすことで、上りリンク送信制限サブフレームで設定される上りリンクサブフレームを認識する。これにより、上りリンク送信制限サブフレームの設定に余分な情報は通知されないので、基地局は、少ないオーバーヘッドで上りリンク送信制限サブフレーム設定情報を端末に通知することができる。
【０１６７】
ここで、ＵｐＰＴＳで送信される上りリンク信号は、上りリンクサブフレームで送信される上りリンク信号と比較して送信されるリソースエレメント数が少なく、干渉を与える影響量が小さいので、通信システムによってはＵｐＰＴＳブランクサブフレームの設定を行わなくてもよい場合もある。このとき、基地局１０１は、上りリンクサブフレームを０、上りリンクブランクサブフレームを１と対応して設定し、下りリンクサブフレームとスペシャルサブフレームを通知情報に含めないビットマップ形式の構成で通知することが好ましい。そして、端末１０２は、前記基地局１０１から上りリンク送信制限サブフレーム設定情報を取得し、前記設定情報に含まれる各ビットを上りリンクサブフレームと対応させることで、上りリンクブランクサブフレームの設定を認識することができる。上りリンクサブフレームと上りリンクブランクサブフレームのみを設定するビットマップ形式の構成は、図１０のビットマップ形式の構成と比較して、更に上りリンク送信制限サブフレームの通知に用いられるビットの総数を削減できる。
【０１６８】
ただし、図１０の上りリンクサブフレームおよびスペシャルサブフレームのみにビットが対応する構成は、端末が設定している無線フレーム構成に依存する。ゆえに、上り下り設定情報の再通知などによって基となる無線フレーム構成が変化した場合、端末は、基地局の意図しない上りリンクサブフレームもしくはスペシャルサブフレームを上りリンク送信制限サブフレームとして設定する可能性がある。そのため、本構成では、無線フレーム構成を変更する際に、基地局は、無線フレーム構成の通知と同時に上りリンク送信制限サブフレーム設定情報を通知することが好ましい。また、端末は、無線フレーム構成が変更した場合は、上りリンク送信制限サブフレーム設定情報が通知されるまで、上りリンク送信制限サブフレームの設定を有効にしないことが好ましい。すなわち、端末は、無線フレーム構成の情報のみを受信した場合、無線フレーム構成の変更を行い、前記端末の上りリンク送信制限サブフレームの設定をリセットする。
【０１６９】
端末は、通知された上りリンク送信制限サブフレーム設定情報に含まれるビットマップの最後のビットまで情報を読み込んだ場合、最初のビットに戻って情報を読み込む。例えば、端末は、２０ビットのビットマップ形式で上りリンク送信制限サブフレーム設定情報が通知されたとする。サブフレーム番号０からサブフレーム番号１９は前記ビットマップの先頭から１番目のビットから２０番目のビットに対応する。また、サブフレーム番号２０からサブフレーム番号３９は前記ビットマップの先頭から１番目のビットから２０番目のビットに対応する。以後のサブフレームは、前記ビットマップを繰り返して順番に対応する。
【０１７０】
端末は、上りリンク信号を制限するサブフレームを基地局から設定される。また、上りリンク通信のリソーススケジューリングは、基地局が行う。そのため、基地局は、上りリンク信号を制限するサブフレームが設定された上りリンクサブフレームに、上りリンク信号のリソースを割り当てないようにスケジューリングすることで、上りリンク信号の送信を制限できる。しかしながら、上りリンク信号を制限するサブフレームに上りリンク信号のリソースが割り当てられる場合がある。上りリンク信号が送信される直前に上りリンクグラントを受けずに送信できる上りリンク信号が割り当てられる場合であり、例えば、前記上りリンク信号が周期的に送信される場合が挙げられる。周期的にリソースが割り当てられる上りリンク信号（周期送信上りリンク信号）には、半永続スケジューリングで設定された上りリンクデータチャネル、スケジューリング要求情報を含む上りリンク制御チャネル、下りリンクチャネル状態情報を含む上りリンク制御チャネル、および周期的サウンディング参照信号が含まれる。周期的にリソースが割り当てられる上りリンク信号は、上りリンク送信制限サブフレームにリソースが割り当てられる可能性がある。以下では、上りリンク送信制限サブフレームに上りリンク信号のリソースが割り当てられた場合における上りリンク信号の処理方法を説明する。
【０１７１】
１つの方法として、上りリンク送信制限サブフレームにおいて、送信予定の上りリンク信号を送信せず、前記上りリンク信号を破棄する方法（第１の上りリンク信号処理方法）がある。
【０１７２】
図１１は、上りリンク信号を制限するサブフレームに上りリンク信号のリソースが割り当てられた場合の第１の処理方法の概要を示す。図１１より、端末１０２の上りリンク信号のリソースは、サブフレーム番号０、サブフレーム番号５、サブフレーム番号１０のサブフレームと、５サブフレーム毎に周期的に割り当てられる。またサブフレーム番号０、サブフレーム番号５、サブフレーム番号１０のサブフレームでは、それぞれ上りリンク信号１、上りリンク信号２、上りリンク信号３が送信予定である。このとき、サブフレーム番号５のサブフレームは、上りリンク送信制限サブフレームとして設定されたとする。
【０１７３】
第１の上りリンク信号処理方法では、端末１０２は、サブフレーム番号５以前で上りリンク信号２を生成せずにサブフレーム番号５のサブフレームで上りリンク信号２を送信しない。もしくは、端末１０２は、サブフレーム番号５以前で上りリンク信号２を生成するがサブフレーム番号５のサブフレームで上りリンク信号２の送信処理を行わずに上りリンク信号２を破棄する。第１の上りリンク信号処理方法では、端末１０２はサブフレーム番号５以後のサブフレームにおいても上りリンク信号２を送信しない。
【０１７４】
端末１０２が第１の上りリンク信号処理方法を行う場合、上位レイヤー４００で上りリンク情報データが生成される前であれば、上りリンク信号処理方法決定部４３０は、端末情報データ処理部４０１に指示を送り、端末情報データ処理部４０１で上りリンク情報データを生成しない。もしくは、上位レイヤー４００で上りリンク情報データが生成された後であれば、上りリンク信号処理方法決定部４３０は、上りリンク無線送信部４１５に指示を送り、上りリンク無線送信部４１５は、上りリンク送信信号の無線送信処理を行わず、上りリンク送信信号の破棄を行う。
【０１７５】
また、１つの方法として、上りリンク送信制限サブフレームにおいて、送信予定の上りリンク信号を送信せず、次の周期で割り当てられるリソースを用いて前記送信しなかった上りリンク信号を送信する方法（第２の上りリンク信号処理方法）がある。
【０１７６】
図１２は、上りリンク信号を制限するサブフレームに上りリンク信号のリソースが割り当てられた場合の第２の上りリンク信号処理方法の概要を示す。図１２より、端末１０２の上りリンク信号のリソースは、サブフレーム番号０、サブフレーム番号５、サブフレーム番号１０のサブフレームと、５サブフレーム毎に周期的に割り当てられる。またサブフレーム番号０、サブフレーム番号５、サブフレーム番号１０のサブフレームは、それぞれ上りリンク信号１、上りリンク信号２、上りリンク信号３が送信予定である。このとき、サブフレーム番号５のサブフレームは、上りリンク送信制限サブフレームとして設定されたとする。
【０１７７】
第２の上りリンク信号処理方法では、端末１０２は、サブフレーム番号５以前で上りリンク信号２を生成せずにサブフレーム番号５のサブフレームで上りリンク信号２を送信しない。もしくは、端末１０２は、サブフレーム番号５以前で上りリンク信号２を生成するがサブフレーム番号５のサブフレームで上りリンク信号２送信処理を行わずに上りリンク信号２を破棄する。第２の上りリンク信号処理方法では、端末１０２は、サブフレーム番号１０以前で上りリンク信号２を生成し、次の周期で割り当てられるサブフレーム番号１０のサブフレームのリソースを用いて上りリンク信号２を送信する。なお、サブフレーム番号１０のサブフレームで送信予定であった上りリンク信号３は次の周期で割り当てられるリソースを用いて送信される。
【０１７８】
端末１０２が第２の上りリンク信号処理方法を行う場合、上位レイヤー４００で上りリンク情報データが生成される前であれば、上りリンク信号処理方法決定部４３０は、端末情報データ処理部４０１に指示を送り、端末情報データ処理部４０１で上りリンク情報データを生成しない。もしくは、上位レイヤー４００で上りリンク情報データが生成された後であれば、上りリンク信号処理方法決定部４３０は、上りリンク無線送信部４１５に指示を送り、上りリンク無線送信部４１５は、上りリンク送信信号の無線送信処理を行わず、上りリンク送信信号の破棄を行う。
【０１７９】
また、１つの方法として、上りリンク送信制限サブフレームにおいて、送信予定の上りリンク信号を送信せず、周期的に割り当てられるリソースとは個別のリソースを用いて前記送信しなかった上りリンク信号を送信する方法（第３の上りリンク信号処理方法）がある。
【０１８０】
図１３は、上りリンク信号を制限するサブフレームに上りリンク信号のリソースが割り当てられた場合の第３の上りリンク信号処理方法の概要を示す。図１３より、端末１０２の上りリンク信号のリソースは、サブフレーム番号０、サブフレーム番号５、サブフレーム番号１０のサブフレームと、５サブフレーム毎に周期的に割り当てられる。またサブフレーム番号０、サブフレーム番号５、サブフレーム番号１０のサブフレームは、それぞれ上りリンク信号１、上りリンク信号２、上りリンク信号３が送信予定である。このとき、サブフレーム番号５のサブフレームは、上りリンク送信制限サブフレームとして設定されたとする。
【０１８１】
第３の上りリンク信号処理方法では、端末１０２は、サブフレーム番号５以前で上りリンク信号２を生成せずにサブフレーム番号５のサブフレームで上りリンク信号２を送信しない。もしくは、端末１０２は、サブフレーム番号５以前で上りリンク信号２を生成するがサブフレーム番号５のサブフレームで上りリンク信号２送信処理を行わずに上りリンク信号２を破棄する。第３の上りリンク信号処理方法では、端末１０２は、サブフレーム番号３で受信した上りリンク信号２の上りリンクグラントで指定されたサブフレーム番号７以前で上りリンク信号２を生成し、前記サブフレーム番号７のサブフレームを用いて上りリンク信号２を送信する。
【０１８２】
周期的に割り当てられる上りリンク信号のリソースとは個別のリソースは、事前に割り当てられるサブフレームである。前記個別のリソースは、例えば、上りリンク送信制限サブフレーム以後のサブフレームで最初の上りリンクサブフレーム、もしくは、ＲＲＣシグナリングを介して指定された上りリンクサブフレームで割り当てられる。前記個別のリソースは、前記周期的に割り当てられる上りリンク信号のリソースとは異なるリソースを設定されることが好ましい。図１３の例では、サブフレーム番号７のサブフレームが前記個別のリソースとして事前に割り当てられる。この場合は、端末１０２は、基地局１０１からの上りリンクグラントによる指示を必要とせずに上りリンク信号２を送信できる。また、上りリンク信号２のリソースブロックは、送信予定であったサブフレーム番号５のサブフレームで割り当てられたリソースブロックと同じリソースブロックである。上りリンク信号２のリソースと他の上りリンク信号とリソースが衝突した場合、端末１０２は、第１の上りリンク信号処理方法もしくは第２の上りリンク信号処理方法を用いて上りリンク信号２を処理する。
【０１８３】
もしくは、周期的に割り当てられる上りリンク信号のリソースとは個別のリソースは、上りリンク信号２に関連付けた上りリンクグラントもしくはＨＡＲＱ指示チャネルで割り当てられた上りリンクサブフレームで割り当てられる。基地局１０１は、端末１０２に上りリンク信号２に関連付けた上りリンクグラントもしくはＨＡＲＱ指示チャネルを送信し、図１３の例では、サブフレーム番号３の下りリンクサブフレームで端末１０２に上りリンクグラントを送信する。端末１０２は、前記上りリンクグラントもしくはＨＡＲＱ指示チャネルで指定されたサブフレーム番号７のサブフレームで上りリンク信号２を送信する。端末１０２は、定められた期間で基地局１０１からの上りリンク信号２に関連付けた上りリンクグラントの受信を待つ。前記定められた期間内に基地局１０１からの要求を受信しなかった場合、端末１０２は、第１の上りリンク信号処理方法もしくは第２の上りリンク信号処理方法を用いて上りリンク信号を処理する。前記定められた期間は、例えば、サブフレーム番号５のサブフレームを中心とした前後５サブフレームの期間である。前記定められた期間は、上位レイヤーの情報で端末１０２に通知される。
【０１８４】
端末１０２が第３の上りリンク信号処理方法を行う場合、上位レイヤー４００で上りリンク情報データが生成される前であれば、上りリンク信号処理方法決定部４３０は、端末情報データ処理部４０１に指示を送り、端末情報データ処理部４０１で上りリンク情報データを生成しない。もしくは、上位レイヤー４００で上りリンク情報データが生成された後であれば、上りリンク信号処理方法決定部４３０は、上りリンク無線送信部４１５に指示を送り、上りリンク無線送信部４１５は、上りリンク送信信号の無線送信処理を行わず、上りリンク送信信号の破棄を行う。
【０１８５】
第２および第３の上りリンク信号処理方法は、送信予定であったサブフレームで上りリンク信号が送信せず、以後の上りリンクサブフレームで送信する処理を行う。すなわち、第２および第３の上りリンク信号処理方法は、上りリンク送信制限サブフレームで送信予定であった上りリンク信号の送信を延期する処理であると言える。
【０１８６】
また、１つの方法として、上りリンク送信制限サブフレームにおいて、下りリンク信号に干渉を与えないリソースエレメント配置で上りリンク信号を送信する方法（第４の上りリンク信号処理方法）がある。
【０１８７】
図１４は、上りリンク信号を制限するサブフレームに上りリンク信号のリソースが割り当てられた場合の第４の処理方法の概要を示す。図１４より、端末１０２の上りリンク信号のリソースは、サブフレーム番号０、サブフレーム番号５、サブフレーム番号１０と、５サブフレーム毎に周期的に割り当てられる。またサブフレーム番号０、サブフレーム番号５、サブフレーム番号１０は、それぞれ上りリンク信号１、上りリンク信号２、上りリンク信号３が送信予定である。このとき、サブフレーム番号５のサブフレームは、上りリンク送信制限サブフレームとして設定されたとする。
【０１８８】
第４の上りリンク信号処理方法では、端末１０２はサブフレーム番号５以前で下りリンク信号に干渉を与えないリソースエレメント配置で上りリンク信号２’を生成して、サブフレーム番号５のサブフレームで上りリンク信号２’の送信処理を行って送信する。
【０１８９】
図１５は、下りリンク信号に干渉を与えない上りリンク信号２’のリソースエレメント構成の一例を示す。例えば、隣接するセルの下りリンクサブフレームで下りリンク制御チャネルが用いられている場合、上りリンクデータチャネルおよび上りリンク制御チャネルの先頭３ＳＣ−ＦＤＭＡシンボルは隣接するセルの端末が受信する下りリンク制御チャネルに干渉を与える可能性がある。そこで、干渉を与える可能性のある上りリンク信号のリソースエレメント（下りリンク制御チャネルと干渉する可能性のある領域）の送信は止めて、干渉を与える可能性の少ないリソースエレメントを用いて上りリンク信号の送信を行う。送信を止めるリソースエレメントは、例えば、隣接するセルの下りリンクサブフレームで用いられる下りリンク制御チャネルのＯＦＤＭシンボル数と、端末１０２の上りリンク信号の送信タイミングと端末１１２の下りリンク信号の受信タイミングとの時間差と、に基づいて決定される。送信を止めるリソースエレメントは、基地局１０１からＲＲＣシグナリングもしくはＰＤＣＣＨシグナリングを通じて通知される。
【０１９０】
上りリンク信号２’は、上りリンク情報データから送信を止めるリソースエレメントに配置される予定のビット列を抜いて（パンクチャリング；ｐｕｎｃｔｕｒｉｎｇ）、生成される。または上りリンク信号２’は、上りリンク情報データを最終的に送信される予定のリソースエレメントが配置できるビット数に合わせて誤り訂正符号の符号化率を調整して（レートマッチング；ｒａｔｅ  ｍａｔｃｈｉｎｇ）、生成される。
【０１９１】
また、第４の上りリンク信号処理方法は、上述の隣接するセルの下りリンクサブフレームで下りリンク制御チャネルに限らず、例えば、隣接するセルの拡張下りリンク制御チャネル、ＨＡＲＱ指示チャネル、下りリンク参照信号、同期信号やＮＣＴで用いられることが想定される検知参照信号とリソースエレメントが重ならないように、上りリンク信号のリソースエレメントの一部を送信しない構成として処理することもできる。
【０１９２】
端末１０２が第４の上りリンク信号処理方法を行う際に、上りリンク信号処理方法決定部４３０は、上りリンク送信信号処理部４１４に指示を送り、上りリンク送信信号処理部４１４は、下りリンク信号に干渉を与えない信号構成で上りリンクデータチャネル、上りリンク制御チャネル、および上りリンク参照信号のマッピングを行う。
【０１９３】
また、１つの方法として、上りリンク送信制限サブフレームにおいて、下りリンク信号に与える干渉を軽減するように送信電力を制限した上りリンク信号を送信する方法（第５の上りリンク信号処理方法）がある。
【０１９４】
上りリンク信号を高い送信電力で送信することは、隣接するセルの下りリンク信号の受信に対して大きな干渉を与えることになる。一方で、上りリンク信号を低い送信電力で送信することは、下りリンク信号の受信に対する干渉の影響を小さくすることができる。第５の上りリンク信号処理方法では、セル端の付近に位置する端末は、前記端末に設定された送信電力よりも更に低い送信電力で送信する。
【０１９５】
第５の上りリンク信号処理方法では、第４の上りリンク信号処理方法の概要と同様に、図１４の例において、端末１０２はサブフレーム番号５以前で下りリンク信号に与える干渉を軽減するように送信電力を制限した上りリンク信号２を生成して、サブフレーム番号５のサブフレームで上りリンク信号２の送信処理を行って送信する。
【０１９６】
上りリンク信号が与える干渉を軽減する送信電力は、例えば伝搬路推定によって得られる伝搬路減衰値に関連して設定される。具体的には、伝搬路減衰値が高い場合、端末は前記端末が接続している基地局と遠方に位置するため、端末はセル端の付近に位置する可能性が高い。そのため、伝搬路減衰値が所定の閾値を超えた場合に、端末は、送信電力に制限を設けて設定する。前記制限を設けて設定する方法は、例えば、送信制限電力によって送信できる電力の上限を設定する方法、計算された送信予定の電力値から一定の値を減算する方法、計算された送信予定の電力値から伝搬路減衰値に比例した値を減算する方法、がある。前記制限を設けて設定する方法は、上りリンク信号の種類によって個別に設定できる。前記所定の閾値は、基地局から上位レイヤーを介して端末に通知される。
【０１９７】
上りリンク信号が与える干渉を軽減する送信電力は、端末に設定された送信電力よりも低い送信電力で上りリンク信号を送信する。そのため、低い送信電力で送信された前記上りリンク信号は、基地局で受信できない可能性がある。そこで、端末は、同じ上りリンク信号を複数のサブフレームで複数回送信する方法で基地局における受信品質を向上させることができる。例えば、端末１０２は、上りリンク送信制限サブフレームが設定されたサブフレーム５番のサブフレームにおいて、第５の上りリンク信号処理方法によって上りリンク信号２を設定された送信電力より低い送信電力で送信する。次に、端末１０２は、以後の上りリンク送信制限サブフレームが設定されたサブフレームにおいて、再度上りリンク信号２を設定された送信電力より低い送信電力で送信する。基地局１０１は、受信した２つの上りリンク信号２を例えば最大比合成によって受信処理することで、通常の送信電力で送信された上りリンク信号と同等の受信品質を得ることができる。上りリンクデータチャネルが第５の上りリンク信号処理方法によって処理されて送信された場合に、複数回送信する方法は、ＨＡＲＱの機能を用いて実現できる。上りリンクデータチャネル以外の上りリンク信号が第５の上りリンク信号処理方法によって処理されて送信された場合に、複数回送信する方法は、事前に再送信の回数を設定することで実現できる。
【０１９８】
基地局１０１は、それぞれの上りリンク信号処理方法に対応した受信処理を行う。
【０１９９】
端末１０２に第１の上りリンク信号処理方法が用いられた場合の一例を示す。基地局１０１は、サブフレーム番号５のサブフレームにおいて端末１０２からの上りリンク信号２が送信されないことが既知であるので、上りリンク信号２の受信処理を行わず、また上りリンク信号２が上りリンクデータチャネルを介して送信された場合には上りリンクグラントまたはＨＡＲＱ指示チャネルを用いて上りリンク信号２に対するＡＣＫ／ＮＡＣＫを送信しない。そして、基地局１０１は、サブフレーム番号１０のサブフレームで上りリンク信号３の受信処理を行う。
【０２００】
端末１０２に第２の上りリンク信号処理方法が用いられた場合の一例を示す。基地局１０１は、サブフレーム番号５のサブフレームにおいて端末１０２からの上りリンク信号２が送信されないことが既知であるので、上りリンク信号２の受信処理を行わず、また上りリンク信号２が上りリンクデータチャネルを介して送信された場合には上りリンクグラントまたはＨＡＲＱ指示チャネルを用いて上りリンク信号２に対するＡＣＫ／ＮＡＣＫを送信しない。そして、基地局１０１は、サブフレーム番号１０のサブフレームで上りリンク信号２の受信処理を行う。
【０２０１】
端末１０２に第３の上りリンク信号処理方法が用いられた場合の一例を示す。基地局１０１は、サブフレーム番号５のサブフレームにおいて端末１０２からの上りリンク信号２が送信されないことが既知であるので、上りリンク信号２の受信処理を行わない。また、基地局１０１は、上りリンク信号２に関連付けられた上りリンクグラントもしくはＨＡＲＱ指示チャネルによってサブフレーム番号５と異なるサブフレーム番号７のサブフレームで上りリンク信号２に対するリソースを割り当てる。基地局１０１は、前記リソースを割り当てたサブフレーム７のサブフレームで上りリンク信号２の受信処理を行う。
【０２０２】
端末１０２に第４の上りリンク信号処理方法が用いられた場合の一例を示す。基地局１０１は、サブフレーム番号５のサブフレームにおいて端末１０２からの上りリンク信号２は一部のリソースエレメントで送信されないことが既知であるので、送信されないリソースエレメントを含めない構成で上りリンク信号２の受信処理を行う。具体的には、基地局１０１は、端末１０２で送信を止めるＳＣ−ＦＤＭＡシンボルの配置が既知であるから、信号が送信されなかったＳＣ−ＦＤＭＡシンボルを含めないリソースエレメント構成と認識して復号処理を行う。
【０２０３】
端末１０２に第５の上りリンク信号処理方法が用いられた場合の一例を示す。基地局１０１は、サブフレーム番号５のサブフレームにおいて端末１０２からの上りリンク信号２の受信処理を行う。
【０２０４】
端末は、上記の５種類の上りリンク信号処理方法のうちの１つを用いる。端末は、上りリンク送信制限サブフレームで送信される予定の上りリンク信号に対する上りリンク信号処理として上りリンク信号処理方法の１つを共通に用いる。
【０２０５】
または端末は、上記の５種類の上りリンク信号処理方法のうちの複数を用いる。上りリンク信号処理は、端末ごと、上りリンク物理チャネルごと、および上りリンク情報データごとに個別に設定できる。上りリンク信号処理は、ＲＲＣシグナリングを介して設定される。
【０２０６】
例えば、ＶｏＩＰ（Ｖｏｉｃｅ  ｏｖｅｒ  Ｉｎｔｅｒｎｅｔ  Ｐｒｏｔｏｃｏｌ）データが半永続スケジューリングで設定された上りリンクデータチャネルで送信される場合は、パケットデータの一部が欠損しても影響が小さいため、第１の上りリンク信号処理方法が適用されることが好ましい。ＶｏＩＰデータ以外の上りリンク情報データが半永続スケジューリングで設定された上りリンクデータチャネルで送信される場合は、全てのパケットデータが欠損しないようにデータを送る必要があるため、第２の上りリンク信号処理方法が適用されることが好ましい。スケジューリング要求情報がＰＵＣＣＨ  ｆｏｒｍａｔ  １の信号構成の上りリンク制御チャネルで送信される場合は、第４の上りリンク信号処理方法が適用されることが好ましい。下りリンクチャネル状態情報がＰＵＣＣＨ  ｆｏｒｍａｔ  ２の信号構成の上りリンク制御チャネルで送信される場合は、第１の上りリンク信号処理方法が適用されることが好ましい。周期的サウンディング参照信号が送信される場合は、第１の上りリンク信号処理方法が適用されることが好ましい。
【０２０７】
また、上りリンク信号処理の適用は、上りリンク物理チャネルに対して個別に設定できる。一例として、基地局は、端末に、周期的サウンディング参照信号のみに第１の上りリンク信号処理を適用する設定を行う。上りリンク信号処理の適用の有無は、ＲＲＣシグナリングを介して設定される。これにより、端末は、上りリンク送信制限サブフレームにおいて、第１の上りリンク信号処理方法を用いて周期的サウンディング参照信号を送信しない処理を行う。一方で、他の上りリンクデータチャネルや上りリンク制御チャネルは上りリンク信号処理が設定されていないので、端末は、上りリンク送信制限サブフレームにおいて、他の上りリンクデータチャネルや上りリンク制御チャネルをそのまま送信することができる。すなわち、端末は、上りリンク送信制限サブフレームにおいて、特定の上りリンク物理チャネルを上りリンク信号処理によって送信しないが、一方で、端末は、前記特定の上りリンク物理チャネルを含まない上りリンク信号を送信することができる。
【０２０８】
また、上りリンク信号処理の適用を上りリンク物理チャネルに対して個別に設定できることで、端末は、上りリンク送信制限サブフレームにおいて、特定の上りリンク物理チャネルのみを送信することができ、前記特定の上りリンク物理チャネル以外の上りリンク物理チャネルの送信を制限することができる。一例として、基地局は、端末に、上りリンク制御チャネル以外の上りリンク物理チャネルおよび上りリンク参照信号に第１の上りリンク信号処理を適用する設定を行う。これにより、端末は、上りリンク送信制限サブフレームにおいて、第１の上りリンク信号処理方法を用いて上りリンク制御チャネル以外の上りリンク物理チャネルおよび上りリンク参照信号を送信しない処理を行う。一方で、上りリンク制御チャネルは上りリンク信号処理が設定されていないので、端末は、上りリンク送信制限サブフレームにおいて、上りリンク制御チャネルをそのまま送信することができる。すなわち、端末は、上りリンク送信制限サブフレームにおいて、特定の上りリンク物理チャネル以外の上りリンク物理チャネルを上りリンク信号処理によって送信しないが、一方で、端末は、前記特定の上りリンク物理チャネル以外を含まない上りリンク信号を送信することができる。
【０２０９】
または端末は、上記の５種類の上りリンク信号処理方法のうちの一部または全部を用いて、前記用いられる上りリンク信号処理方法に優先順位を付けて設定される。端末１０２は、５種類の上りリンク信号処理方法のうちの一部または全部を用い、上りリンク信号処理方法決定部４３０で上りリンク信号の処理方法に対して順番に処理可否の判別を行い、処理可能な上りリンク信号の処理方法を行う。図１６は、上りリンク信号処理方法を決定するフローチャートを示す。例えば、端末１０２は、第１から第４の上りリンク信号処理方法が採用され、第４の上りリンク信号処理方法、第３の上りリンク信号処理方法、第２の上りリンク信号処理方法、第１の上りリンク信号処理方法、と優先順位が付けて設定される。端末１０２は、第４の上りリンク信号処理方法の可否の判定を行う（ステップＳ１６０１）。第４の上りリンク信号処理方法が可能であれば（ステップＳ１６０１；可）、第４の上りリンク信号処理方法を適用し（ステップＳ１６０２）、第４の上りリンク信号処理方法では問題が発生する場合は（ステップＳ１６０１；否）、第３の上りリンク信号処理方法の可否の判定を行う（ステップＳ１６０３）。第３の上りリンク信号処理方法が可能であれば（ステップＳ１６０３；可）、第３の上りリンク信号処理方法を適用し（ステップＳ１６０４）、第３の上りリンク信号処理方法でも問題が発生する場合は（ステップＳ１６０３；否）、第２の上りリンク信号処理方法の可否の判定を行う（ステップＳ１６０５）。第２の上りリンク信号処理方法が可能であれば（ステップＳ１６０５；可）、第２の上りリンク信号処理方法を適用し（ステップＳ１６０６）、第２の上りリンク信号処理方法でも問題が発生する場合は（ステップＳ１６０５；否）、第１の上りリンク信号処理方法を適用する（ステップＳ１６０７）。
【０２１０】
上りリンク信号処理方法の可否の判定基準は、データの重要度や上りリンク信号が干渉を与える影響量を考慮して、上りリンク物理チャネルおよび上りリンク情報データに対応する基準がそれぞれ個別に設定できる。上りリンク信号処理方法の可否の判定基準は、予め端末で固定的に決定される。もしくは、上りリンク信号処理方法の可否の判定基準は、上位レイヤーからの制御情報を通じて基地局から端末個別に通知される。
【０２１１】
基地局１０１でビットマップ形式による上りリンク送信制限サブフレーム設定情報を端末１０２に再度通知すると、端末１０２は、受信した該上りリンク送信制限サブフレーム設定情報に基づいて上りリンク送信制限サブフレームの設定を上書きする。
【０２１２】
上りリンク送信制限サブフレームの設定を解除する場合は、基地局は、全てのサブフレームにおいて設定しない上りリンク送信制限サブフレーム設定情報をビットマップ形式で端末に通知する。具体的には、基地局は、ビットマップにおいて全てのビットが上りリンク送信制限サブフレームの配置をしないことを示す情報を通知する。端末は、全てのサブフレームにおいて上りリンク送信制限サブフレームを配置されない上りリンク送信制限サブフレーム設定情報を受信すると、全てのサブフレームにおいて上りリンク送信制限サブフレームが配置されない設定に上書きする。
【０２１３】
もしくは、上りリンク送信制限サブフレームの設定を解除する場合は、基地局は１ビットの上りリンク送信制限サブフレーム有効／無効情報を端末に通知する。上りリンク送信制限サブフレーム有効／無効情報が有効（ＴＲＵＥ、１）の場合は、前記上りリンク送信制限サブフレーム設定情報で通知された上りリンク送信制限サブフレームは、有効となる（以下、有効状態と呼称する）。上りリンク送信制限サブフレーム有効／無効情報が無効（ＦＡＬＳＥ、０）の場合は、前記ビットマップ形式で通知された上りリンク送信制限サブフレームは、無効となり、端末は全てのサブフレームにおいて元の無線フレーム構成と認識する（以下、無効状態と呼称する）。
【０２１４】
図１７に、上りリンク送信制限サブフレームの設定状態の遷移に対する上りリンク送信制限サブフレーム有効／無効情報の組み合わせ表を示す。無効状態から有効状態に遷移させる場合、基地局は、上りリンク送信制限サブフレーム設定情報を通知せず、有効を示す上りリンク送信制限サブフレーム有効／無効情報を端末に通知する。また、有効状態から無効状態に遷移させる場合、基地局は、上りリンク送信制限サブフレーム設定情報を通知せず、無効を示す上りリンク送信制限サブフレーム有効／無効情報を端末に通知する。無効状態から有効状態に遷移させると同時に上りリンク送信制限サブフレームを再設定する場合、基地局は、再設定の上りリンク送信制限サブフレーム設定情報と有効の上りリンク送信制限サブフレーム有効／無効情報を同時に通知する。上りリンク送信制限サブフレームを再設定のみを行う場合、基地局は、再設定の上りリンク送信制限サブフレーム設定情報を通知する。設定状態が遷移しなければ、基地局は、上りリンク送信制限サブフレーム有効／無効情報は通知しなくてもよい。
【０２１５】
以上、本発明の第１の実施形態について説明した。本発明の第１の実施形態により、上りリンク通信に起因するセル間干渉を低減し、通信システム全体のスループットを向上することができる。
【０２１６】
（第２の実施形態）
以下では、第２の実施形態について説明する。なお、以下では第１の実施形態と異なる部分が説明され、説明されない部分は第１の実施形態と同じである。
【０２１７】
本実施形態では、上りリンク送信制限サブフレームの配置は、サブフレームセットとして周期情報と配置情報で設定される。図１８および図１９は、上りリンク送信制限サブフレームが周期的に設定される場合における無線フレーム構成の一例を示す。図１８では、上り下り設定情報が０の無線フレーム構成において、無線フレーム番号が偶数番号のときのサブフレーム番号４のサブフレームが上りリンク送信制限サブフレームとして設定される。また、図１９では、図１８の例に加えて無線フレーム番号が３の倍数のときのサブフレーム番号７のサブフレームが上りリンク送信制限サブフレームとして設定される。なお、上りリンク送信制限サブフレームは、サブフレームの周期と、所定の基準となるサブフレームに対するサブフレームのオフセット（シフト）とで設定されてもよい。図１８の例では、上りリンク送信制限サブフレームは、サブフレームの周期が２０であり、所定の基準となるサブフレームに対するサブフレームのオフセットが４である。図１９の例では、上りリンク送信制限サブフレームは、サブフレームの周期が３０であり、所定の基準となるサブフレームに対するサブフレームのオフセットが７である。
【０２１８】
基地局は、上りリンク送信制限サブフレーム周期情報（上りリンクブランクサブフレーム周期情報、上りリンクブランクサブフレームペリオディシティ；ｕｐｌｉｎｋ  ｂｌａｎｋ  ｓｕｂｆｒａｍｅ  ｐｅｒｉｏｄｉｃｉｔｙ）と上りリンク送信制限サブフレーム配置情報（上りリンクブランクサブフレーム配置情報、上りリンクブランクサブフレームオフセット；ｕｐｌｉｎｋ  ｂｌａｎｋ  ｓｕｂｆｒａｍｅ  ｏｆｆｓｅｔ）を端末に通知する。上りリンク送信制限サブフレーム周期情報と上りリンク送信制限サブフレーム配置情報は、ＲＲＣシグナリングを介して端末固有に通知される。前記端末は、取得した上りリンク送信制限サブフレーム周期情報および上りリンク送信制限サブフレーム配置情報によって上りリンク送信制限サブフレームの位置を認識する。ここで、下りリンクサブフレームが上りリンク送信制限サブフレームとして設定された場合は、端末は下りリンクサブフレームとして認識する。
【０２１９】
上りリンク送信制限サブフレーム配置情報は、上りリンク送信制限サブフレーム周期情報と組み合わせて情報が決定される。例えば、２０サブフレーム周期の場合では、上りリンク送信制限サブフレーム配置情報として２０サブフレームのうちの１つを指定する。図１８の例では、上りリンク送信制限サブフレーム周期情報は２０、上りリンク送信制限サブフレーム配置情報は４となる。これより、上りリンク送信制限サブフレーム配置情報は上りリンク送信制限サブフレーム周期情報を超える設定はできないので、上りリンク送信制限サブフレーム配置情報の情報量は上りリンク送信制限サブフレーム周期情報によって変化する。
【０２２０】
また、上りリンク送信制限サブフレーム配置情報と上りリンク送信制限サブフレーム周期情報は、前記上りリンク送信制限サブフレーム配置情報と前記上りリンク送信制限サブフレーム周期情報とを組み合わせて１つの上りリンク送信制限サブフレーム設定情報で構成することで、効率よく通知することができる。図２０に、１つの上りリンク送信制限サブフレーム設定情報の値に対応する上りリンク送信制限サブフレーム配置情報および上りリンク送信制限サブフレーム周期情報の値の関係を示す表である。上りリンク送信制限サブフレーム設定情報は、ＲＲＣシグナリングを介して端末固有に通知される。端末は、上りリンク送信制限サブフレーム設定情報を受信し、図２０の対応表を用いて上りリンク送信制限サブフレーム配置情報および上りリンク送信制限サブフレーム周期情報を取得する。このように、１つの上りリンク送信制限サブフレーム設定情報に纏めることによって、上りリンク送信制限サブフレーム周期情報に対する上りリンク送信制限サブフレーム配置情報の情報量の変動を抑え、効率のよい通知が可能となる。
【０２２１】
上りリンク送信制限サブフレーム周期情報と上りリンク送信制限サブフレーム配置情報は１つの端末に対して複数設定できる。例えば、図１９に示す構成例のように、周期的に割り当てられる上りリンク送信制限サブフレームが２つ設定される。この様に、上りリンク送信制限サブフレームを周期以外のサブフレームに配置する場合においても、複数の上りリンク送信制限サブフレーム周期情報および複数の上りリンク送信制限サブフレーム配置情報を用いることで柔軟な設定を可能とする。
【０２２２】
１つの上りリンク送信制限サブフレーム周期情報を共有化することで、前記１つの上りリンク送信制限サブフレーム周期情報および複数の上りリンク送信制限サブフレーム配置情報から、周期的に割り当てられる上りリンク送信制限サブフレームを複数設定することができる。例えば、上りリンク送信制限サブフレーム配置情報は、複数の上りリンク送信制限サブフレーム配置情報であると言える第１の実施形態に記載したビットマップ形式で構成される。この場合は、上りリンク送信制限サブフレーム設定は、連続して繰り返さずに、上りリンク送信制限サブフレーム周期情報で示されたサブフレーム数を待って繰り返し適用される。具体的には、総数２０ビットのビットマップと上りリンク送信制限サブフレーム周期情報が４０と通知された場合、サブフレーム番号０から１９のサブフレームは前記ビットマップの１番目から２０番目のビットに対応し、サブフレーム番号２０から３９のサブフレームは前記ビットマップのビットに対応せず、サブフレーム番号４０から５９のサブフレームは前記ビットマップの１番目から２０番目のビットに対応する。
【０２２３】
上りリンク送信制限サブフレームの設定を変更する場合は、基地局は、新たな上りリンク送信制限サブフレーム設定情報、または、新たな上りリンク送信制限サブフレーム周期情報および新たな上りリンク送信制限サブフレーム配置情報、を端末に対して再度通知する。端末は、前記新たな上りリンク送信制限サブフレーム周期情報および前記新たな上りリンク送信制限サブフレーム配置情報から上りリンク送信制限サブフレームの設定を上書きする。
【０２２４】
本実施形態において、上りリンク送信制限サブフレームの設定を解除する場合は、基地局は、設定の解除を示す上りリンク送信制限サブフレーム周期情報として端末に通知する。前記設定の解除を示す上りリンク送信制限サブフレーム周期情報は、例えば、周期０の情報である。端末は、前記上りリンク送信制限サブフレーム周期情報を受信し、サブフレーム解釈部４０４で設定の解除を示す上りリンク送信制限サブフレーム周期情報を認識することで、上りリンク送信制限サブフレームの設定をリセットし、元の無線フレーム構成として認識する。もしくは、上りリンク送信制限サブフレームの設定を解除する場合は、基地局は、設定の解除を示す上りリンク送信制限サブフレーム配置情報を端末に通知する。前記設定の解除を示す上りリンク送信制限サブフレーム配置情報は、例えば、どこにも配置しないことを示す情報であり、ビットマップ形式では全てのビットが０である。前記端末は、前記上りリンク送信制限サブフレーム配置情報を受信し、サブフレーム解釈部４０４で設定の解除を示す上りリンク送信制限サブフレーム配置情報を認識することで、上りリンク送信制限サブフレームの設定をリセットし、元の無線フレーム構成として認識する。もしくは、上りリンク送信制限サブフレームの設定を解除する場合は、基地局は、設定の解除を示す上りリンク送信制限サブフレーム設定情報を端末に通知する。前記端末は、前記上りリンク送信制限サブフレーム設定情報を受信し、サブフレーム解釈部４０４で設定の解除を示す上りリンク送信制限サブフレーム設定情報を認識することで、上りリンク送信制限サブフレームの設定をリセットし、元の無線フレーム構成として認識する。
【０２２５】
以上、本発明の第２の実施形態について説明した。
【０２２６】
（第３の実施形態）
以下では、第３の実施形態について説明する。本実施形態は、無線フレーム構成に関連付けた上りリンク送信制限サブフレーム設定情報を通知することで、上りリンク送信制限サブフレームを設定する。なお、以下では第１の実施形態と異なる部分が説明され、説明されない部分は第１の実施形態と同じである。なお、第３の実施形態で説明する発明は、第２の実施形態にも適用できる。
【０２２７】
端末−端末間干渉は、多くの場合に隣接するセル間において上りリンクサブフレームと下りリンクサブフレームが異なる通信システム環境で発生する。すなわち、端末−端末間干渉が発生する可能性があるサブフレームは、基地局（自基地局、接続基地局、サービング基地局、サービングセル）のサブフレーム設定と前記基地局のセルと隣接するセルの基地局（隣接基地局、隣接セル、干渉基地局、干渉セル）のサブフレーム設定に依存する。本実施形態では、隣接セル間で上りリンクサブフレームと下りリンクサブフレームが異なる可能性があるサブフレームに対応付けて、上りリンク送信制限サブフレームを設定する。
【０２２８】
フレキシブルサブフレームによってトラフィックアダプテーションを行う場合と、上り下り設定を可変にしてトラフィックアダプテーションを行う場合と、で干渉を及ぼすサブフレームの想定が異なるため、それぞれのトラフィックアダプテーション方法での本実施形態について説明する。
【０２２９】
先ず、フレキシブルサブフレームによってトラフィックアダプテーションを行う場合について説明する。
【０２３０】
フレキシブルサブフレームによってトラフィックアダプテーションを行う場合の一例として、図８のフレキシブルサブフレームを含んだ無線フレーム構成が設定した場合を想定する。全てのセルで前記無線フレーム構成が用いられた場合、同じサブフレームにおいて隣接セル間で上りリンク通信と下りリンク通信が行われる可能性があるサブフレームは、フレキシブルサブフレームとして設定されたサブフレーム番号３、４、８、９である。ゆえに、サブフレーム番号３、４、８、９に上りリンク送信制限サブフレームが設定されることが好ましい。以下、端末−端末間干渉が発生する可能性のあるサブフレーム上りリンク送信制限サブフレーム候補と呼称する。この場合、フレキシブルサブフレームは、上りリンク送信制限サブフレーム候補であると言える。
【０２３１】
図２１は、フレキシブルサブフレームに関連付けて設定された上りリンク送信制限サブフレームを含んだ無線フレーム構成の設定表の一例である。「ＵＢ／Ｄ」は、ＰＤＣＣＨシグナリングによって下りリンクサブフレームと上りリンク送信制限サブフレームを切り替えるサブフレームである。上りリンク送信制限サブフレーム設定情報は、フレキシブルサブフレームと、下りリンクサブフレームと上りリンク送信制限サブフレームを切り替えるサブフレームと、のサブフレーム配置を示す。
【０２３２】
基地局は、図８のフレキシブルサブフレームを含んだ無線フレーム構成の情報をシステム情報に含んで端末に報知し、セル内の端末へ共通に基となる無線フレーム構成を設定する。次に、基地局は、上りリンク送信制限サブフレーム設定情報をＲＲＣシグナリングで端末固有に通知する。端末は、前記上りリンク送信制限サブフレーム設定情報を用いて前記無線フレーム構成に対応して下りリンクサブフレームと上りリンク送信制限サブフレームとを切り替えるサブフレームを認識する。なお、上りリンク送信制限サブフレーム設定情報が通知される前は、端末は上りリンク送信制限サブフレームが設定されない元の無線フレーム構成として認識する。
【０２３３】
上りリンク送信制限サブフレームの設定を変更する場合、基地局は、基地局と接続する端末に対して前記上りリンク送信制限サブフレームの設定を示す新たな上りリンク送信制限サブフレーム設定情報をＲＲＣシグナリングを介して通知する。前記端末は、受信した新たな上りリンク送信制限サブフレーム設定情報から、前記端末の上りリンク送信制限サブフレームの設定を上書きする。
【０２３４】
基地局が設定する無線フレーム構成を変更する場合、基地局は、基地局の新たな無線フレーム構成の情報を前記基地局と接続する端末にシステム情報もしくはＲＲＣシグナリングに含んで通知し、更に前記新たな無線フレーム構成に反映した新たな上りリンク送信制限サブフレーム設定情報を前記端末にＲＲＣシグナリングを介して通知する。前記端末は、前記新たな無線フレーム構成の情報を受信し、新たな無線フレーム構成の設定を上書きし、前記端末の上りリンク送信制限サブフレームの設定をリセットする。すなわち、前記端末は、新たな無線フレーム構成を認識した直後は、上りリンク送信制限サブフレームが配置されない新たな無線フレーム構成として認識する。その後に、前記端末は、受信した前記上りリンク送信制限サブフレーム設定情報から、サブフレーム解釈部４０４で前記端末の上りリンク送信制限サブフレームの配置を行う。
【０２３５】
上りリンク送信制限サブフレームの設定を解除する場合、基地局は、上りリンク送信制限サブフレームが配置されない無線フレーム構成を示す上りリンク送信制限サブフレーム設定情報を用いて端末に通知する。一例として、図２１において、上りリンク送信制限サブフレーム設定情報を０として通知する。
【０２３６】
次に、上り下り設定を可変にしてトラフィックアダプテーションを行う場合について説明する。
【０２３７】
上り下り設定を可変にしてトラフィックアダプテーションを行う場合の一例として、自基地局が基地局１０１であって、上り下り設定情報を０として設定し、隣接基地局は基地局１１１であって、上り下り設定情報を１として設定した場合を想定する。図２２に、自基地局の上り下り設定情報を０、隣接基地局の上り下り設定情報を１と設定した場合における上りリンク送信制限サブフレーム候補の一例を示す。図３の上り下り設定情報の対応表より、基地局１０１と基地局１１１で設定される上り下り設定情報が既知であれば、基地局１０１は、基地局１０１と基地局１１１間で上りリンクサブフレームと下りリンクサブフレームと異なって通信するサブフレームがサブフレーム番号４とサブフレーム番号９であることを知ることができる。すなわち、自基地局の上り下り設定情報と隣接基地局の上り下り設定情報を取得することができれば、自基地局は、端末−端末間干渉が発生する可能性のある上りリンク送信制限サブフレーム候補を認知することができる。本実施形態では、上りリンク送信制限サブフレームは、自基地局の上り下り設定情報と隣接基地局の上り下り設定情報とに関連付けて設定する。
【０２３８】
図２３、図２４、図２５、図２６、図２７、図２８、および、図２９は、自基地局の上り下り設定情報がそれぞれ０、１、２、３、４、５、６と設定された場合における隣接基地局の上り下り設定情報に対応する上りリンク送信制限サブフレームの設定の一例を示す。図２３、図２４、図２５、図２６、図２７、図２８、および、図２９は、図３の上り下り設定情報による無線フレーム構成の表を拡張した無線フレーム構成であり、自基地局の上り下り設定情報、隣接基地局の上り下り設定情報、および上りリンク送信制限サブフレーム設定情報から上りリンク送信制限サブフレームを含めた無線フレーム構成を表す。自基地局の上り下り設定情報および隣接基地局の上り下り設定情報から、端末−端末間干渉が発生する可能性のあるサブフレームを上りリンク送信制限サブフレーム候補が決定する。次に、上りリンク送信制限サブフレームが設定される無線フレーム構成は、上りリンク送信制限サブフレーム設定情報によって決定される。上りリンク送信制限サブフレーム設定情報を変更することで、上りリンク信号の送信の制限を行うサブフレームの割合を変更できる。
【０２３９】
例えば、基地局１０１は、基地局１０１が設定する上り下り設定情報と、基地局１１１が設定する上り下り設定情報と、を認識する。基地局１０１と基地局１１１との間はバックホール回線１０３で接続されており、基地局１０１はバックホール回線１０３を通じて基地局１１１が設定する上り下り設定情報を取得する。基地局１０１は、基地局１０１が設定する上り下り設定情報と、基地局１１１が設定する上り下り設定情報から、例えば、図２３、図２４、図２５、図２６、図２７、図２８、図２９の対応表を用いて上りリンク送信制限サブフレームを設定し、端末１０２に対して上りリンク送信制限サブフレーム設定情報を通知する。
【０２４０】
基地局は、端末に、少なくとも自基地局の上り下り設定情報と、隣接基地局の上り下り設定情報と、上りリンク送信制限サブフレーム設定情報と、を通知する。隣接基地局の上り下り設定情報と上りリンク送信制限サブフレーム設定情報は、ＲＲＣシグナリングを介して端末固有に（個別に）通知される。なお、隣接基地局の上り下り設定情報または上りリンク送信制限サブフレーム設定情報が通知される前は、端末は上りリンク送信制限サブフレームが配置されない無線フレーム構成として認識する。
【０２４１】
上りリンク送信制限サブフレームの設定を変更する場合、自基地局は、自基地局と接続する端末に対して前記上りリンク送信制限サブフレームの設定を示す新たな上りリンク送信制限サブフレーム設定情報をＲＲＣシグナリングを介して通知する。前記端末は、受信した新たな上りリンク送信制限サブフレーム設定情報から、前記端末の上りリンク送信制限サブフレームの設定を上書きする。
【０２４２】
自基地局が設定する上り下り設定情報を変更する場合、自基地局は、自基地局の新たな上り下り設定情報を前記自基地局と接続する端末にシステム情報もしくはＲＲＣシグナリングに含んで通知し、更に前記新たな上り下り設定情報を反映した新たな上りリンク送信制限サブフレーム設定情報を前記端末にＲＲＣシグナリングを介して通知する。前記端末は、前記新たな上り下り設定情報を受信し、新たな無線フレーム構成を認識して設定を上書きし、上りリンク送信制限サブフレームの設定をリセットする。すなわち、前記端末は、新たな無線フレーム構成を認識した直後は、上りリンク送信制限サブフレームが配置されない無線フレーム構成として認識する。その後に、前記端末は、隣接基地局が設定する上り下り設定情報と受信した前記上りリンク送信制限サブフレーム設定情報から、サブフレーム解釈部４０４で上りリンク送信制限サブフレームの設定を行う。
【０２４３】
また、隣接基地局が設定する上り下り設定情報が変更される場合、隣接基地局は、自基地局に対してバックホール回線を介して隣接基地局が設定する新たな上り下り設定情報を通知する。自基地局は、取得した隣接基地局が設定する上り下り設定情報に対応した新たな上りリンク送信制限サブフレーム設定情報を決定し、前記隣接基地局が設定する上り下り設定情報および前記新たな上りリンク送信制限サブフレーム設定情報を自基地局に接続する端末にＲＲＣシグナリングを介して通知する。前記端末は、上りリンク送信制限サブフレーム設定情報が変更された場合と同様の動作を行う。
【０２４４】
上りリンク送信制限サブフレームの設定を解除する場合、基地局は、上りリンク送信制限サブフレームが配置されない無線フレーム構成を示す上りリンク送信制限サブフレーム設定情報を用いて端末に通知する。一例として、図２３、図２４、図２５、図２６、図２７、図２８、図２９において、基地局は、上りリンク送信制限サブフレーム設定情報を０として通知する。
【０２４５】
もしくは、上りリンク送信制限サブフレームの設定を解除する場合、基地局は、変更前と同じ上り下り設定情報を新たな上り下り設定情報として端末に通知する。前記端末は、新たな上り下り設定情報によって設定を上書きし、上りリンク送信制限サブフレーム設定情報をリセットする。すなわち、前記端末の無線フレーム構成は変化されずに、上りリンク送信制限サブフレームの設定がリセットされる。
【０２４６】
上記では、自基地局は、自基地局と１つの隣接基地局の間の上り下り設定情報に関連付けて上りリンク送信制限サブフレームを設定した。しかしながら、図１の基地局１１１は、基地局１０１とＲＲＨ１２１と隣接する関係にあるように、隣接基地局が複数存在する場合も考えられる。この様な場合においては、図２３、図２４、図２５、図２６、図２７、図２８、図２９の対応表で参照される隣接基地局の上り下り設定情報は、最も下りリンクサブフレームの割合が多い隣接基地局の上り下り設定情報が適用される。
【０２４７】
例えば、基地局１０１の上り下り設定情報が０、基地局１１１の上り下り設定情報が１、ＲＲＨ１２１の上り下り設定情報が２で設定した場合に、基地局１１１は、基地局１０１およびＲＲＨ１２１の上り下り設定情報をバックホール回線１０３およびバックホール回線１１３を介して取得する。基地局１１１は、基地局１０１の上り下り設定情報とＲＲＨ１２１の上り下り設定情報を比較し、下りリンクサブフレームの割合が多いＲＲＨ１２１の上り下り設定情報を隣接基地局の上り下り設定として参照する。そして、基地局１１１は、図２３の設定表を用いて、上りリンク送信制限サブフレーム設定情報を決定する。基地局１１１は、基地局１１１の上り下り設定情報と、ＲＲＨ１２１の上り下り設定情報と、前記上りリンク送信制限サブフレーム設定情報と、を基地局１１１に接続する端末１１２に通知する。端末１１２は、隣接基地局が１つの場合と同様に、上りリンク送信制限サブフレームの設定を行う。
【０２４８】
もしくは隣接基地局が複数存在する場合、通信システムは、複数の隣接基地局に対応した上りリンク送信制限サブフレームを含む無線フレーム構成表を適用する。例えば、基地局１１１の隣接基地局である基地局１０１を隣接基地局１、もう一方の隣接基地局であるＲＲＨ１２１を隣接基地局２とする。図３０は、自基地局の上り下り設定情報が１、隣接基地局１の上り下り設定情報が２と設定された場合における隣接基地局２の上り下り設定情報に対応する無線フレーム構成の一例を示す。基地局１１１は、基地局１０１およびＲＲＨ１２１の上り下り設定情報をバックホール回線１０３およびバックホール回線１１３を介して取得する。基地局１１１は、図３０の設定表を用いて、上りリンク送信制限サブフレーム設定情報を決定する。基地局１１１は、基地局１１１の上り下り設定情報と、基地局１０１およびＲＲＨ１２１の上り下り設定情報と、前記上りリンク送信制限サブフレーム設定情報と、を基地局１１１に接続する端末１１２に通知する。端末１１２は、図３０の設定表を用いて、基地局１１１、基地局１０１、およびＲＲＨ１２１の上り下り設定情報、ならびに前記上りリンク送信制限サブフレーム設定情報、から上りリンク送信制限サブフレームの設定を行う。
【０２４９】
基地局および端末で上りリンク送信制限サブフレーム候補であるサブフレームにおいて常に上りリンク送信制限サブフレームが設定されることが既知である場合、基地局は、上りリンク送信制限サブフレーム候補の情報を通知し、上りリンク送信制限サブフレーム設定情報の通知を省略することができる。フレキシブルサブフレームによるトラフィックアダプテーション方法であれば、基地局は、フレキシブルサブフレームの位置を通知し、上りリンク送信制限サブフレーム設定情報の通知は省略することができる。上り下り設定の可変によるトラフィックアダプテーション方法であれば、基地局は、自基地局および隣接基地局の上り下り設定情報を通知し、上りリンク送信制限サブフレーム設定情報の通知は省略することができる。
【０２５０】
以上、本発明の第３の実施形態について説明した。本実施形態では、上りリンク送信制限サブフレーム設定情報は、上りリンク送信制限サブフレーム数と関連付けた番号で設定したが、上記の上りリンク送信制限サブフレーム設定情報および無線フレーム構成に限らない。例えば、上りリンク送信制限サブフレーム設定情報は、上りリンク送信制限サブフレーム候補となるサブフレームと対応するビットマップであってもよい。
【０２５１】
（第４の実施形態）
以下では、第４の実施形態について説明する。なお、以下では第１から第３の実施形態と異なる部分が説明され、説明されない部分は第１から第３の実施形態と同じである。
【０２５２】
本実施形態では、基地局は、システム情報に上りリンク送信制限サブフレーム設定情報を含めて報知する。
【０２５３】
前記端末は、前記基地局が送信するシステム情報に含まれる上りリンク送信制限サブフレーム設定情報を用いて上りリンク送信制限サブフレームの設定を行う。本方式では、前記基地局が構成するセル内の全ての端末は、上りリンク送信制限サブフレームの設定を適用する。なお、上りリンク送信制限サブフレームの設定に関する情報と無線フレーム構成の情報とが同じシステム情報に含んで報知される場合、基地局は、上りリンク送信制限サブフレームを含んだ無線フレーム構成の情報をシステム情報に含めて報知してもよい。
【０２５４】
もしくは端末は、システム情報に含まれる上りリンク送信制限サブフレーム設定情報と上りリンク送信制限サブフレーム適用判定を用いて上りリンク送信制限サブフレームの設定を行う。本方式では、前記端末は上りリンク送信制限サブフレーム適用判定を用いることで、システム情報を用いながら所定の端末に上りリンク送信制限サブフレームの設定を適用させることができる。例えば、通信システムは、セル中心に存在する端末１０２−Ｂなどの上りリンク送信制限サブフレームの設定を適用しない端末に前記上りリンク送信制限サブフレーム適用判定によって上りリンク送信制限サブフレームを適用させず、また端末−端末間干渉を与える可能性の高い端末１０２−Ａに前記上りリンク送信制限サブフレーム適用判定によって上りリンク送信制限サブフレームを適用させることができる。上りリンク送信制限サブフレーム適用判定に用いられる基準は、上位レイヤーにより基地局から端末に通知される。
【０２５５】
上りリンク送信制限サブフレーム適用判定は、サブフレーム解釈部４０４によって行われる。図３１は、システム情報に含まれる上りリンク送信制限サブフレーム設定情報を受信したときの上りリンク送信制限サブフレーム適用判定のフローチャートを示す。端末は、該端末が接続している基地局からのシステム情報を受信し、上りリンク送信制限サブフレーム設定情報を取得する（ステップＳ３１０１）。次に、端末は、上りリンク送信制限サブフレーム適用判定を行う（ステップＳ３１０２）。前記上りリンク送信制限サブフレーム適用判定は、前記端末は前記上りリンク送信制限サブフレーム設定情報で示されたサブフレームにおいて上りリンク信号の送信の停止または送信の制限を行うか否かを判定する。例えば、上りリンク送信制限サブフレーム適用判定に用いられる基準として、端末は、該端末が接続している基地局からの送信信号に対する下りリンク信号の受信電力と閾値との比較を行う。前記下りリンク信号の受信電力は、例えば下りリンク参照信号の受信電力（ＲＳＲＰ；Ｒｅｆｅｒｅｎｃｅ  Ｓｉｇｎａｌ  Ｒｅｃｅｉｖｅｄ  Ｐｏｗｅｒ）である。前記受信電力が閾値よりも高い場合は（ステップＳ３１０２；受信電力＞閾値）、端末は、該端末がセル中心に存在していると判断し、全てのサブフレームにおいて上りリンク送信制限サブフレームの設定は行わない（ステップＳ３１０３）。一方、前記受信電力が閾値よりも低い場合は（ステップＳ３１０２；閾値＞受信電力）、端末は、該端末がセル端に存在すると判断し、取得した上りリンク送信制限サブフレーム設定情報を用いて上りリンク送信制限サブフレームを適用する（ステップＳ３１０４）。
【０２５６】
端末が行う前記上りリンク送信制限サブフレーム適用判定は、前記端末が接続している基地局からの送信信号に対する下りリンク信号の受信電力の代わりに、下りリンク信号の受信品質と該受信品質に対応する閾値を用いてもよい。前記下りリンク信号の受信品質は、例えば下りリンク参照信号の受信品質（ＲＳＲＱ；Ｒｅｆｅｒｅｎｃｅ  Ｓｉｇｎａｌ  Ｒｅｃｅｉｖｅｄ  Ｑｕａｌｉｔｙ）である。
【０２５７】
また前記上りリンク送信制限サブフレーム適用判定は、隣接基地局からの送信信号に対する下りリンク信号の受信電力と該受信電力に対応する閾値との判定を加えて用いると、端末がセル端に存在するか否かの判定の精度が向上する。この場合、隣接基地局からの下りリンク信号の受信電力が該受信電力に対応する閾値よりも高い場合は、端末は、該端末が接続している基地局が構成するセルと隣接基地局が構成するセルとの境界付近に位置していると判断する。一方で、隣接基地局から下りリンク信号の受信電力が該受信電力に対応する閾値よりも低い場合は、端末は、境界付近以外に位置していると判断する。端末がセル端に存在するか否かの判定に用いられる閾値は、予め基地局から取得する。
【０２５８】
また、基地局は、上りリンク送信制限サブフレーム設定情報を複数通知する。端末は、上りリンク送信制限サブフレーム適用判定より、該端末に適した上りリンク送信制限サブフレーム設定情報を選択することもできる。この場合、端末は、少なくとも上りリンク送信制限サブフレーム設定情報の数より１つ少ない数の判定基準を必要とする。基地局は、前記複数の上りリンク送信制限サブフレーム適用判定の基準を上位レイヤーから前記端末に通知する。
【０２５９】
図３２に、二種類の上りリンク送信制限サブフレーム設定情報を受信したときの上りリンク送信制限サブフレーム適用判定のフローチャートを示す。端末は、事前に基地局から上りリンク送信制限サブフレーム適用判定の基準として閾値１と閾値２を取得する。端末は、該端末が接続している基地局からシステム情報を受信し、上りリンク送信制限サブフレーム設定情報１および上りリンク送信制限サブフレーム設定情報２を取得する（ステップＳ３２０１、ステップＳ３２０２）。次に、端末は、上りリンク送信制限サブフレーム適用判定を行う（ステップＳ３２０３）。前記上りリンク送信制限サブフレーム適用判定は、例えば、基地局からの送信信号に対する下りリンク信号の受信電力と閾値１および閾値２との比較を行う。前記受信電力が閾値１よりも高い場合は（ステップＳ３２０３；受信電力＞閾値１）、全てのサブフレームにおいて上りリンク送信制限サブフレームを配置しない（ステップＳ３２０４）。前記受信電力が閾値１よりも低く、閾値２より高い場合は（ステップＳ３２０３；閾値１＞受信電力＞閾値２）、取得した上りリンク送信制限サブフレーム設定情報１を用いて上りリンク送信制限サブフレームが適用される（ステップＳ３２０５）。前記受信電力が閾値２より低い場合は（ステップＳ３２０３；閾値２＞受信電力）、取得した上りリンク送信制限サブフレーム設定情報２を用いて上りリンク送信制限サブフレームが適用される（ステップＳ３２０６）。
【０２６０】
端末は、上りリンク送信制限サブフレーム設定情報を受信した時に上記の上りリンク送信制限サブフレーム適用判定を行う。上記の受信電力は、上記の上りリンク送信制限サブフレーム適用判定を行う前に端末で計算され、前記端末で受信電力を示す情報として保持される。上記の上りリンク送信制限サブフレーム適用判定を行う際に、端末は、前記保持した受信電力を示す情報を用いる。
【０２６１】
また端末は、下りリンク信号の受信電力を計算した時に上記の上りリンク送信制限サブフレーム適用判定を行う。上りリンク送信制限サブフレーム設定情報は、上記の上りリンク送信制限サブフレーム適用判定を行う前に端末に受信され、前記端末で保持される。上記の上りリンク送信制限サブフレーム適用判定を行う際に、端末は、前記上りリンク送信制限サブフレーム設定情報を用いる。
【０２６２】
また端末は、定期的に上記の上りリンク送信制限サブフレーム適用判定を行う。端末は、上りリンク送信制限サブフレーム設定情報を含んだシステム情報と上りリンク送信制限サブフレーム適用判定を行う周期を示す情報を受信した後、上りリンク送信制限サブフレーム設定情報を保持する。端末は、受信した上りリンク送信制限サブフレーム適用判定を行う周期を示す情報から、上りリンク送信制限サブフレーム適用判定を行うタイミングを認識し、前記タイミングで上りリンク送信制限サブフレーム適用判定を行う。端末は、前記保持した上りリンク送信制限サブフレーム設定情報と受信電力を用いて上りリンク送信制限サブフレーム適用判定を行う。上記の上りリンク送信制限サブフレーム適用判定を行う間隔は、受信電力の計算間隔と比べて同間隔か長い間隔であることが好ましい。前記上りリンク送信制限サブフレーム適用判定を行う周期情報は、上位レイヤーを介して基地局から端末に通知される。
【０２６３】
上りリンク送信制限サブフレームの設定を変更する場合は、基地局は、新たな上りリンク送信制限サブフレーム設定情報をシステム情報に含めて端末に報知する。端末は受信した前記システム情報から新たな上りリンク送信制限サブフレーム設定情報を認識し、上りリンク送信制限サブフレーム適用判定を介して、新たな上りリンク送信制限サブフレームの設定を上書きする。
【０２６４】
上りリンク送信制限サブフレームの設定を解除する場合は、基地局は、設定の解除を示す上りリンク送信制限サブフレーム設定情報をシステム情報に含めて端末に報知する。端末は受信した前記システム情報から上りリンク送信制限サブフレームの設定の解除を認識し、上りリンク送信制限サブフレーム適用判定を介して、上りリンク送信制限サブフレームの設定をリセットし、元の無線フレーム構成と認識する。もしくは上りリンク送信制限サブフレームの設定を解除する場合は、基地局は、端末であらゆる場合において上りリンク送信制限サブフレームを適用しないと選択される上りリンク送信制限サブフレーム適用判定の基準を前記端末に通知する。端末は、上りリンク送信制限サブフレーム適用判定を介して、上りリンク送信制限サブフレームの配置を行わず、元の無線フレーム構成と認識する。
【０２６５】
本実施形態では、上りリンク送信制限サブフレーム設定情報の構成は限定せず、前記実施形態に記載したビットマップ形式、上りリンク送信制限サブフレーム候補に関連付けた上りリンク送信制限サブフレームの設定に関する情報、上りリンク送信制限サブフレーム周期情報や、その他上りリンク送信制限サブフレームの設定を通知するに相応しい情報を用いて構成される。
【０２６６】
以上、本発明の第４の実施形態について説明した。
【０２６７】
（第５の実施形態）
以下では、第５の実施形態について説明する。なお、以下では第１から第４の実施形態と異なる部分が説明され、説明されない部分は第１から第４の実施形態と同じである。
【０２６８】
第１から第４の実施形態では、上りリンク送信制限サブフレーム設定情報をＲＲＣシグナリングやシステム情報に含めて通知することを前提に説明した。ＲＲＣシグナリングやシステム情報で通知することは、上りリンク送信制限サブフレームの設定の更新間隔が上りリンク信号のリソース割当よりも長い間隔であると言える。
【０２６９】
本実施形態では、基地局は、ＰＤＣＣＨシグナリングを介して上記の上りリンク送信制限サブフレーム設定情報を端末固有に通知する。すなわち、上りリンク送信制限サブフレーム設定情報は、上りリンクグラントに含まれて端末に通知される。本実施形態は、上りリンク送信制限サブフレーム設定情報を上りリンク信号のリソース割当と同等か短い間隔で通知することができる。
【０２７０】
例えば、基地局１０１が端末１０２に対して上りリンクグラントを送信して４サブフレーム後に上りリンクデータチャネルを送信するように要求したとする。一方で、基地局１１１は、端末１０２が上りリンクデータチャネルを送信する予定のサブフレームで、端末１１２への下りリンクデータチャネルの送信を割り当てる。その際に、端末−端末間干渉を回避するため、基地局１１１は基地局１０１にバックホール回線１０３を介して上りリンクデータチャネルの送信の制限を要求する。基地局１０１の前記上りリンクグラントの送信から端末１０２の上りリンクデータチャネルの送信の間に、基地局１０１は、端末１０２に対して前記上りリンクデータチャネルの送信を制限する要求（上りリンク信号送信制限要求、上りリンク送信制限サブフレーム設定情報）を送信する。そして端末１０２は、前記上りリンク信号送信制限要求を受けて、上りリンクデータチャネルの送信の停止または送信を制限する。これより、無線リソースのスケジューリングよりも短い間隔で上りリンク信号の送信の制限を要求することが可能となり、端末−端末間干渉を回避して効率のよい通信が可能となる。
【０２７１】
本実施形態では、上りリンク送信制限サブフレームがより動的に設定することが可能であるため、初回送信の上りリンクデータチャネルなど上りリンク信号のリソースのスケジューリングで割り当てられる上りリンク信号に対しても制限する設定が有効となる。図３３は、本実施形態における上りリンク信号の送信に対する制限の要求の通知の一例である。図３３では、基地局１０１は、端末１０２に、サブフレーム番号１の下りリンクサブフレームを用いてサブフレーム番号５のサブフレームに上りリンク信号の送信を要求する上りリンクグラントを送信する。しかしながら、前記上りリンクグラントの送信後に基地局１１２からサブフレーム番号５のサブフレームで前記上りリンク信号の送信に対する制限の要求が届いた場合に、基地局１０１は、サブフレーム番号５よりも前の下りリンクサブフレームであるサブフレーム番号３のサブフレームで上りリンク送信制限サブフレーム設定情報を含んだ上りリンクグラントを端末１０２に送信する。端末１０２は、サブフレーム番号１のサブフレームで上りリンクグラントを取得後、上りリンク信号の送信の準備を行うが、サブフレーム番号３のサブフレームにおいて上りリンク信号の送信に対する制限の要求を含んだ上りリンクグラントを取得後、サブフレーム番号５のサブフレームで端末１１２に干渉を与えないように上りリンク信号の送信処理を行う。前記送信処理は、第１の実施形態に記載した上りリンク信号送信処理を行うことを想定しており、この例では、第１の上りリンク送信信号処理に従って上りリンク信号の送信の停止処理を行った。
【０２７２】
本実施形態の上りリンク送信制限サブフレーム設定情報は、ＰＤＣＣＨシグナリングで通知することを想定するので、少ない情報量で通知できることが好ましい。
【０２７３】
本実施形態の上りリンク送信制限サブフレーム設定情報は、例えば、１ビットの制限要求である。本設定情報は、事前に１ビットの上りリンク信号送信制限要求を含む上りリンクグラントを受信する下りリンクサブフレームと上りリンク信号を制限する上りリンク送信制限サブフレームが関連付けられる。図３４に、上りリンク信号送信制限要求を含む上りリンクグラントを受信する下りリンクサブフレームと上りリンク送信制限サブフレームの関係表を示す。図３４の表の番号は、上りリンクサブフレームおよびスペシャルサブフレームに書いてある番号のサブフレームが、そのサブフレームに対応して上りリンク信号送信制限要求を受け付ける下りリンクサブフレーム番号を示す。例えば、上り下り設定情報が０の場合、サブフレーム番号２の上りリンクサブフレームで割り当てられた上りリンク信号を制限するには、基地局は、サブフレーム番号０のサブフレームで１ビットの上りリンク信号送信制限要求を含む上りリンクグラントを送信する。また、サブフレーム番号４の上りリンクサブフレームで割り当てられた上りリンク信号を制限するには、基地局は、サブフレーム番号１のサブフレームで１ビットの上りリンク信号送信制限要求を含む上りリンクグラントを送信する。端末は、１ビットの上りリンク信号送信制限要求を含んだ上りリンクグラントから上りリンク送信制限サブフレームを図３４のような関係表から認識し、上りリンク送信制限サブフレームが設定されるサブフレーム番号を把握する。
【０２７４】
下りリンクサブフレーム数が上りリンクサブフレーム数と比べて少ない場合、上りリンク信号送信制限要求を含んだ上りリンクグラントは、複数の上りリンクサブフレームと関連付けられる。例えば、上り下り設定情報が０の場合、サブフレーム番号１の下りリンクサブフレームは、サブフレーム番号３の上りリンクサブフレームとサブフレーム番号４の上りリンクサブフレームに対応し、サブフレーム番号６の下りリンクサブフレームは、サブフレーム番号８の上りリンクサブフレームとサブフレーム番号９の上りリンクサブフレームに対応する。上りリンク信号と上りリンクグラントを対応させることで、サブフレーム番号による情報よりも少ない情報で通知できる。
【０２７５】
もしくは、本実施形態の上りリンク送信制限サブフレーム設定情報は、サブフレーム番号である。例えば、下りリンクサブフレーム数が上りリンクサブフレーム数と比べて少ない場合などの一意に上りリンクグラントの受信サブフレームと上りリンク送信制限サブフレームと関連付けることができない場合においては、サブフレーム番号を直接通知する本設定情報が有効である。端末は、上りリンク送信制限サブフレームとして指定されるサブフレーム番号を含んだ上りリンクグラントから上りリンク送信制限サブフレームを認識する。前記サブフレーム番号は、上りリンクグラント受信時からの相対番号であっても、無線フレーム番号とサブフレーム番号からなる絶対番号であってもよい。
【０２７６】
もしくは、本実施形態の上りリンク送信制限サブフレーム設定情報は、上りリンク信号に関連付けられた番号である。例えば、特定の上りリンクデータチャネルの送信を停止し、特定の上りリンク制御チャネルの送信は可能にするなど、個別に上りリンク信号の送信を制限する場合には、本設定情報が有効である。上りリンク信号に関連付けられた番号は、例えば上りリンクデータチャネルであればＨＡＲＱプロセス番号を想定し、上りリンクデータチャネル以外の上りリンク信号であれば前記上りリンク信号と関連付けた新たな指示番号を構成して指定することを想定する。
【０２７７】
上記の上りリンク送信制限サブフレーム設定情報は、複数を同時に設定できる。例えば、サブフレーム番号と上りリンク信号で送信されるデータに関連付けられた番号とを同時に設定することで、基地局は、端末に対して指定の上りリンクサブフレームで送信予定されていた指定の上りリンク信号のみを送信停止させることができる。
【０２７８】
以上、本発明の第５の実施形態について説明した。
【０２７９】
（第６の実施形態）
以下では、第６の実施形態について説明する。なお、以下では第１から第５の実施形態と異なる部分が説明され、説明されない部分は第１から第５の実施形態と同じである。
【０２８０】
第１から第５の実施形態では、同時刻に隣接するセル間で上りリンクサブフレームと下りリンクサブフレームが設定されると発生するセル間干渉を解決するために上りリンク送信制限サブフレームを設定した。ところで、本発明の上りリンク送信制限サブフレームは、上りリンク信号同士のセル間干渉にも効果を発揮する。
【０２８１】
図３５に、隣接する両セルが上りリンク通信を行うときの通信システムの概要を示す。基地局３５０１は端末３５０２と上りリンク通信を行っており、同時に基地局３５１１は端末３５１２と上りリンク通信を行っている。図３５のように、セル３５００の端に存在する端末３５０２が基地局３５０１に向けて送信する上りリンク信号は、セル３５００と隣接するセル３５１０を構成する基地局３５１１に漏れ込み、端末３５１２が基地局３５１１に向けて送信している上りリンク信号に対して干渉を与える。上記の上りリンク信号同士のセル間干渉においても、端末３５０２が上りリンク信号の送信の停止または送信の制限、もしくは端末３５１２が上りリンク信号の送信の停止または送信の制限を行うことでセル間干渉を回避することができる。
【０２８２】
本実施形態において、基地局は、隣接基地局が設定する上りリンクサブフレームに関連付けて上りリンク送信制限サブフレームを設定することで、少ない情報量で上りリンク送信制限サブフレームの設定に関する情報を端末に通知することができる。
【０２８３】
また、本実施形態において、上りリンク送信制限サブフレームの通知方法および設定方法、基地局および端末の設定処理、ならびに、上りリンク送信制限サブフレームにおける端末での上りリンク信号の処理方法は、前記実施形態に記載する方法を用いる。これより、本発明は、ＴＤＤ方式およびＦＤＤ方式における上りリンク通信同士のセル間干渉に対しても有効な回避手段となる。
【０２８４】
以上、本発明の第６の実施形態について説明した。
【０２８５】
（第７の実施形態）
以下では、第７の実施形態について説明する。なお、以下では第１から第６の実施形態と異なる部分が説明され、説明されない部分は第１から第６の実施形態と同じである。
【０２８６】
本発明は、基地局やバックホールネットワークを介さずに端末と端末間で通信（端末−端末間通信；Ｄｅｖｉｃｅ  ｔｏ  ｄｅｖｉｃｅ  ｃｏｍｍｕｎｉｃａｔｉｏｎ）を行う場合においても、有効である。
【０２８７】
図３６は、本実施形態に係る端末−端末間通信が行われる通信システムの概要を示す。端末３６０２−Ａは端末３６０２−Ｂに対して信号の送信を行い、端末３６０２−Ｂは端末３６０２−Ａから送信された信号を受信する。端末３６０２−Ａと端末３６０２−Ｂは、基地局を介さずに直接通信を行う。また端末３６０２−Ｃは端末３６０２−Ｄに対して信号の送信を行い、端末３６０２−Ｄは端末３６０２−Ｃから送信された信号を受信する。端末３６０２−Ｃと端末３６０２−Ｄは、上記と同様に、基地局を介さずに直接通信を行う。端末３６０２−Ａと端末３６０２−Ｂの端末−端末間通信と、端末３６０２−Ｃと端末３６０２−Ｄの端末−端末間で用いられるリソースブロックおよびサブフレームが同一であれば、端末３６０２−Ａが送信した信号は、端末３６０２−Ｄの受信機に漏れ込み、干渉を与える。すなわち、端末−端末間通信が行われる通信システムにおいても、端末−端末間干渉が発生する。
【０２８８】
本実施形態においても、端末に対して個別に上りリンク送信制限サブフレームを設定し、端末の信号の送信の制限を行う処理をすることで、端末−端末間干渉を抑圧することができる。基地局３６０１は、端末３６０２に対して上りリンク送信制限サブフレームを通知する。ここで上りリンク送信制限サブフレームは端末個別に設定されることで、端末−端末間干渉を軽減させる。例えば、端末３６０２−Ａと端末３６０２−Ｂ間の端末−端末間通信と、端末３６０２−Ｃと端末３６０２−Ｄ間の端末−端末間通信とで異なる上りリンク送信制限サブフレームが設定される。これにより、端末３６０２−Ｄが受信処理を行っているサブフレームでは、端末３６０２−Ａは信号を送信することができない。また端末３６０２−Ａが信号を送信するサブフレームでは、端末３６０２−Ｃは信号を送信することができない。
【０２８９】
これより、端末−端末間通信が行われる通信システムにおける端末−端末間干渉に対しても、本発明は有効な回避手段となる。
【０２９０】
以上、本発明の第７の実施形態について説明した。
【０２９１】
なお、本発明は、従来のコンポーネントキャリアの代わりに上述したＮＣＴにおいても効果を同様に発揮することができる。
【０２９２】
本発明に関わる基地局１０１、基地局１１１、基地局３５０１、基地局３５１１、基地局３６０１、ＲＲＨ１２１、および、端末１０２、端末１１２、端末１２２、端末３５０２、端末３５１２、端末３６０２で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行われる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２９３】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局１０１、基地局１１１、基地局３５０１、基地局３５１１、基地局３６０１、ＲＲＨ１２１、および、端末１０２、端末１１２、端末１２２、端末３５０２、端末３５１２、端末３６０２の一部、または全部を典型的には集積回路であるＬＳＩとして実現してもよい。基地局１０１、基地局１１１、基地局３５０１、基地局３５１１、基地局３６０１、ＲＲＨ１２１、および、端末１０２、端末１１２、端末１２２、端末３５０２、端末３５１２、端末３６０２の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。
【０２９４】
以上、この発明の実施形態に関して図面を参照して詳述してきたが、具体的な構成はこの実施形態に限られるものではなく、この発明の要旨を逸脱しない範囲の設計変更等も含まれる。例えば、一連の処理のうち、一部の処理の順序を逆転させるような設計の変更を行ってもよい。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【０２９５】
なお、本願発明は上述の実施形態に限定されるものではない。本願発明の端末は、移動局装置への適用に限定されるものではなく、屋内外に設置される据え置き型、または非可動型の電子機器、例えば、ＡＶ機器、キッチン機器、掃除・洗濯機器、空調機器、オフィス機器、自動販売機、その他生活機器などに適用出来ることは言うまでもない。
【産業上の利用可能性】
【０２９６】
本発明は、基地局や端末や通信システムや通信方法に用いて好適である。
【符号の説明】
【０２９７】
１００、１１０、１２０、３５００、３５１０、３６００、３７００、３７１０  セル
１０１、１１１、３５０１、３５１１、３６０１、３７０１  基地局
１２１、３７１１  ＲＲＨ
１０２、１１２、１２２、３５０２、３５１２、３６０２、３７０２、３７１２  端末
１０３、１１３、３５０３、３７０３  バックホール回線
４００、５２０、６００、７２０  上位レイヤー
４０１、７２１  端末情報データ処理
４０２、５２２、６０２、７２２  ＲＲＣ層処理部
４０３、５２３、６０３、７２３  ＭＡＣ層処理部
４０４、７２４  サブフレーム解釈部
４０５、７２５  スケジューリング情報解釈部
４１０  上りリンク送信部
４１１  上りリンクデータチャネル生成部
４１２  上りリンク制御チャネル生成部
４１３  上りリンク参照信号生成部
４１４  上りリンク送信信号処理部
４１５  上りリンク無線送信部
４２０  端末送信アンテナ部
４３０  上りリンク信号処理方法決定部
５００  基地局受信アンテナ部
５１０  上りリンク受信部
５１１  上りリンク無線受信部
５１２  上りリンク受信信号処理部
５１３  上りリンク伝搬路推定部
５１４  上りリンクデータチャネル処理部
５１５  上りリンク制御チャネル処理部
５２１、６０１  基地局情報データ処理
５２４、６０４  サブフレーム設定部
５２５、６０５  スケジューリング情報決定部
６１０  下りリンク送信部
６１１  下りリンクデータチャネル生成部
６１２  下りリンク制御チャネル生成部
６１３  下りリンク参照信号生成部
６１４  下りリンク送信信号処理部
６１５  下りリンク無線送信部
６２０  基地局送信アンテナ部
７００  端末受信アンテナ部
７１０  下りリンク受信部
７１１  下りリンク無線受信部
７１２  下りリンク受信信号処理部
７１３  下りリンク伝搬路推定部
７１４  下りリンク制御チャネル処理部
７１５  下りリンクデータチャネル処理部
【図１】
2014109302.tif 000003
【図２】
2014109302.tif 000004
【図３】
2014109302.tif 000005
【図４】
2014109302.tif 000006
【図５】
2014109302.tif 000007
【図６】
2014109302.tif 000008
【図７】
2014109302.tif 000009
【図８】
2014109302.tif 000010
【図９】
2014109302.tif 000011
【図１０】
2014109302.tif 000012
【図１１】
2014109302.tif 000013
【図１２】
2014109302.tif 000014
【図１３】
2014109302.tif 000015
【図１４】
2014109302.tif 000016
【図１５】
2014109302.tif 000017
【図１６】
2014109302.tif 000018
【図１７】
2014109302.tif 000019
【図１８】
2014109302.tif 000020
【図１９】
2014109302.tif 000021
【図２０】
2014109302.tif 000022
【図２１】
2014109302.tif 000023
【図２２】
2014109302.tif 000024
【図２３】
2014109302.tif 000025
【図２４】
2014109302.tif 000026
【図２５】
2014109302.tif 000027
【図２６】
2014109302.tif 000028
【図２７】
2014109302.tif 000029
【図２８】
2014109302.tif 000030
【図２９】
2014109302.tif 000031
【図３０】
2014109302.tif 000032
【図３１】
2014109302.tif 000033
【図３２】
2014109302.tif 000034
【図３３】
2014109302.tif 000035
【図３４】
2014109302.tif 000036
【図３５】
2014109302.tif 000037
【図３６】
2014109302.tif 000038
【図３７】
2014109302.tif 000039
【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
サウンディング参照信号を送信する送信部と、
物理下りリンク制御チャネルを復号化する受信部と、
を備え、
時分割複信を提供するセルにおいて、前記サウンディング参照信号は、システム情報に含まれる第１の情報に基づく上り下り設定によって上りリンクサブフレーム又はスペシャルサブフレームとして示される所定のサブフレームに存在可能であり、
前記時分割複信を提供するセルにおいて、前記所定のサブフレームが、前記物理下りリンク制御チャネルにおいて送信される第２の情報に基づいて上りリンクサブフレームでもスペシャルサブフレームでもないと示されるサブフレームである場合に、前記送信部は、前記サウンディング参照信号を送信しない
ユーザ装置。
【請求項２】
上位レイヤにより設定される周期性に基づいて示されるサブフレームに前記物理下りリンク制御チャネルが検出された場合、
上り下り設定は、前記物理下りリンク制御チャネルにおいて送信される前記第２の情報に基づいて設定される
請求項１に記載のユーザ装置。
【請求項３】
サウンディング参照信号を送信する工程と、
物理下りリンク制御チャネルを復号化する工程と、
を含み、
時分割複信を提供するセルにおいて、前記サウンディング参照信号は、システム情報に含まれる第１の情報に基づく上り下り設定によって上りリンクサブフレーム又はスペシャルサブフレームとして示される所定のサブフレームに存在可能であり、
前記時分割複信を提供するセルにおいて、前記所定のサブフレームが、前記物理下りリンク制御チャネルにおいて送信される第２の情報に基づいて上りリンクサブフレームでもスペシャルサブフレームでもないと示されるサブフレームである場合に、前記サウンディング参照信号は送信されない
ユーザ装置に用いられる通信方法。
【請求項４】
サウンディング参照信号を送信する機能と、
物理下りリンク制御チャネルを復号化する機能と、
を少なくとも実行するように構成され、
時分割複信を提供するセルにおいて、前記サウンディング参照信号は、システム情報に含まれる第１の情報に基づく上り下り設定によって上りリンクサブフレーム又はスペシャルサブフレームとして示される所定のサブフレームに存在可能であり、
前記時分割複信を提供するセルにおいて、前記所定のサブフレームが、前記物理下りリンク制御チャネルにおいて送信される第２の情報に基づいて上りリンクサブフレームでもスペシャルサブフレームでもないと示されるサブフレームである場合に、前記サウンディング参照信号は送信されない
ユーザ装置に備えられる集積回路。
【請求項５】
サウンディング参照信号を受信する受信部と、
物理下りリンク制御チャネルを暗号化する送信部と、
を備え、
時分割複信を提供するセルにおいて、前記サウンディング参照信号は、システム情報に含まれる第１の情報に基づく上り下り設定によって上りリンクサブフレーム又はスペシャルサブフレームとして示される所定のサブフレームに存在可能であり、
前記時分割複信を提供するセルにおいて、前記所定のサブフレームが、前記物理下りリンク制御チャネルにおいて送信される第２の情報に基づいて上りリンクサブフレームでもスペシャルサブフレームでもないと示されるサブフレームである場合に、前記受信部は、前記サウンディング参照信号を受信しない
基地局装置。
【請求項６】
サウンディング参照信号を受信する工程と、
物理下りリンク制御チャネルを暗号化する工程と、
を含み、
時分割複信を提供するセルにおいて、前記サウンディング参照信号は、システム情報に含まれる第１の情報に基づく上り下り設定によって上りリンクサブフレーム又はスペシャルサブフレームとして示される所定のサブフレームに存在可能であり、
前記時分割複信を提供するセルにおいて、前記所定のサブフレームが、前記物理下りリンク制御チャネルにおいて送信される第２の情報に基づいて上りリンクサブフレームでもスペシャルサブフレームでもないと示されるサブフレームである場合に、前記サウンディング参照信号は受信されない
基地局装置に用いられる通信方法。
【請求項７】
サウンディング参照信号を受信する機能と、
物理下りリンク制御チャネルを暗号化する機能と、
を少なくとも実行するように構成され、
時分割複信を提供するセルにおいて、前記サウンディング参照信号は、システム情報に含まれる第１の情報に基づく上り下り設定によって上りリンクサブフレーム又はスペシャルサブフレームとして示される所定のサブフレームに存在可能であり、
前記時分割複信を提供するセルにおいて、前記所定のサブフレームが、前記物理下りリンク制御チャネルにおいて送信される第２の情報に基づいて上りリンクサブフレームでもスペシャルサブフレームでもないと示されるサブフレームである場合に、前記サウンディング参照信号は受信されない
基地局装置に備えられる集積回路。
【手続補正３】
【補正対象書類名】明細書
【補正対象項目名】０００１
【補正方法】変更
【補正の内容】
【０００１】
本発明は、ユーザ装置、通信方法、集積回路、および基地局装置に関する。
【手続補正４】
【補正対象書類名】明細書
【補正対象項目名】００１３
【補正方法】変更
【補正の内容】
【００１３】
本発明は、上記問題を鑑みてなされたものであり、その目的は、基地局とユーザ装置が通信する通信システムにおいて、セル間干渉を抑圧することができるユーザ装置、通信方法、集積回路、および基地局装置を提供することにある。
【国際調査報告】
2014109302.tif 000040
2014109302.tif 000041
2014109302.tif 000042